(57)【要約】  本発明に係る加湿清浄装置は、水が保存される水槽と、前記水槽に形成され、前記水槽の内外側を連通させるエアーウォッシュ流入口と、水を吸収できる材質で形成され、前記エアーウォッシュ流入口を通過する空気に対して加湿を提供する水槽加湿媒体とを備え、前記水槽加湿媒体は、前記エアーウォッシュ流入口の内側に位置して前記エアーウォッシュ流入口をカバーする。本発明は、水槽加湿媒体がエアーウォッシュ流入口をカバーするので、加湿流路の水がエアーウォッシュ流入口を介して外に漏水されることを防止するという長所がある。【選択図】図１１
2018536136.tif 000002
【特許請求の範囲】
【請求項１】
加湿清浄装置であって、
水が保存される水槽と、
前記水槽に形成され、前記水槽の内外側を連通させるエアーウォッシュ流入口と、
水を吸収できる材質で形成され、前記エアーウォッシュ流入口を通過する空気に対して加湿を提供する水槽加湿媒体と、を備えてなり、
前記水槽加湿媒体は、前記エアーウォッシュ流入口の内側に位置して前記エアーウォッシュ流入口をカバーする、加湿清浄装置。
【請求項２】
前記エアーウォッシュ流入口を通過する空気は、水槽の外側から前記水槽の内側に流動するように圧力が形成された、請求項１に記載の加湿清浄装置。
【請求項３】
前記エアーウォッシュ流入口は、前記水槽の３６０度全方向に形成され、前記水槽加湿媒体は、前記エアーウォッシュ流入口全体をカバーする、請求項１に記載の加湿清浄装置。
【請求項４】
前記水槽加湿媒体の下端は、前記水槽内側に位置する、請求項１に記載の加湿清浄装置。
【請求項５】
前記水槽加湿媒体の上端は、前記水槽の外側に位置し、
前記水槽加湿媒体の下端は、前記水槽の内側に位置する、請求項１に記載の加湿清浄装置。
【請求項６】
前記水槽内部に配置され、前記水槽に保存された水を噴射するウォータリングユニットをさらに備え、
前記水槽加湿媒体は、前記水槽に保存された水と離間して配置され、
前記ウォータリングユニットから噴射された水が前記水槽加湿媒体を濡らす、請求項１に記載の加湿清浄装置。
【請求項７】
前記水槽加湿媒体のうちの一部は、前記水槽とオーバーラップされ、
前記ウォータリングユニットは、前記オーバーラップされた部分に水を噴射する、請求項６に記載の加湿清浄装置。
【請求項８】
前記水槽加湿媒体が設けられる水槽加湿媒体ハウジングをさらに備え、
前記水槽加湿媒体ハウジングは、水を前記水槽に案内する落水防止流路をさらに備える、請求項１に記載の加湿清浄装置。
【請求項９】
前記水槽加湿媒体ハウジングの上端は、前記水槽の外側に位置し、
前記水槽加湿媒体ハウジングの下端は、前記水槽の内側に位置する請求項８に記載の加湿清浄装置。
【請求項１０】
前記水槽加湿媒体ハウジングの下端は、前記水槽とオーバーラップされる、請求項８に記載の加湿清浄装置。
【請求項１１】
前記水槽加湿媒体ハウジングは、前記水槽と分離可能に据え置かれ、
前記水槽加湿媒体ハウジングの上端には、流れ落ちた水を前記水槽内側に案内するガイドが配置された、請求項８に記載の加湿清浄装置。
【請求項１２】
前記水槽のうち、少なくとも一部を形成し、外部から内部を透視してみることができる材質で形成されたビジュアルボディをさらに備えてなり、
前記エアーウォッシュ流入口は、前記ビジュアルボディの下側に配置された、請求項１に記載の加湿清浄装置。
【請求項１３】
前記ビジュアルボディの側面は、前記水槽の内側に向かって傾斜して形成された、請求項１２に記載の加湿清浄装置。
【請求項１４】
前記ビジュアルボディの内側には、流れ落ちた水を一時保存するリザーバが形成され、
前記リザーバは、前記エアーウォッシュ流入口の上側に位置する、請求項１２に記載の加湿清浄装置。
【請求項１５】
前記水槽加湿媒体が設けられる水槽加湿媒体ハウジングをさらに備え、
前記水槽加湿媒体ハウジングの上端は、前記ビジュアルボディとオーバーラップされ、
前記水槽加湿媒体ハウジングの下端は、前記水槽とオーバーラップされる、請求項１４に記載の加湿清浄装置。
【請求項１６】
前記水槽加湿媒体ハウジングは、前記ビジュアルボディと分離可能に据え置かれる、請求項１５に記載の加湿清浄装置。
【請求項１７】
前記水槽加湿媒体が設けられる水槽加湿媒体ハウジングをさらに備え、
前記水槽加湿媒体ハウジングの上端に配置され、流れ落ちた水を前記水槽内側に案内するガイドをさらに備える、請求項１２に記載の加湿清浄装置。
【請求項１８】
前記水槽加湿媒体が設けられる水槽加湿媒体ハウジングと、
前記ビジュアルボディの内側に形成され、流れ落ちた水を一時保存するリザーバと、
前記水槽加湿媒体ハウジングの上端に配置され、流れ落ちた水を前記水槽内側に案内するガイドとをさらに備え、
前記ガイドは、前記リザーバ上側に位置する、請求項１２に記載の加湿清浄装置。
【請求項１９】
前記ビジュアルボディの上部内側に配置され、給水流路及び吐出流路を形成するトップカバーアセンブリをさらに備え、
前記吐出流路に流動した水は、前記ビジュアルボディ内側に沿って流れ落ち、
前記ビジュアルボディには、流れ落ちる水を一時保存するリザーバが形成された、請求項１２に記載の加湿清浄装置。
【請求項２０】
前記水槽内部に配置され、前記水槽に保存された水を噴射するウォータリングユニットと、
前記水槽加湿媒体が設けられる水槽加湿媒体ハウジングとをさらに備え、
前記水槽加湿媒体は、前記水槽に保存された水と離間して配置され、前記ウォータリングユニットから噴射された水が前記水槽加湿媒体を濡らし、
前記水槽加湿媒体ハウジングは、
前記エアーウォッシュ流入口外側に位置し、前記水槽とオーバーラップされるフレームをさらに備え、
前記ウォータリングユニットは、前記フレームに水を噴射する、請求項１に記載の加湿清浄装置。
【発明の詳細な説明】
【技術分野】
【０００１】
本発明は、加湿清浄装置に関するものである。
【背景技術】
【０００２】
空気調和装置は、空気の温度を制御するエアコン、空気の異物を除去して清浄度を維持させる空気清浄器、空気中に水分を提供する加湿器、空気中の水分を除去する除湿機などがある。
【０００３】
従来の加湿器は、振動板で水を霧化させて空気中に吐出する振動式及び加湿フィルタで自然蒸発させる自然蒸発式に区分される。
【０００４】
前記自然蒸発式加湿器は、駆動力を利用してディスクを回転させ、空気中のディスク表面で水が自然蒸発されるディスク式加湿器と、水で濡らした加湿媒体において流動する空気により自然蒸発される加湿フィルタ式加湿器とに区分される。
【０００５】
従来の加湿器は、加湿過程に流動する空気のうちの一部がフィルタでろ過された。
【０００６】
しかし、従来の加湿器は、湿度の低い季節にのみ使用され、空気清浄器は、加湿機能がないため、２つの製品を備えなければならないという問題点があった。
【０００７】
また、従来の加湿器は、加湿機能が主な機能であり、空気を浄化する空気清浄機能は、付加的な機能であるため、空気清浄機能が微弱な問題点があった。
また、従来の加湿器または空気清浄器は、加湿または空気清浄を区分して別に作動させることができないという問題点があった。
【発明の概要】
【発明が解決しようとする課題】
【０００８】
本発明は、加湿機能及び空気清浄機能を独立的に作動させることができる加湿清浄装置を提供することにその目的がある。
【０００９】
本発明は、加湿流路に結ばれた水滴をユーザが目で確認し、加湿がなされる状態を直観的に確認できる加湿清浄装置を提供することにその目的がある。
【００１０】
本発明は、加湿媒体が水に浸らない構造の加湿清浄装置を提供することにその目的がある。
【００１１】
本発明は、水槽加湿媒体を濡らした水がエアーウォッシュ流入口を介して外に漏水されることを防止する加湿清浄装置を提供することにその目的がある。
【００１２】
本発明は、ウォータリングのために供給された水を水槽に案内する加湿清浄装置を提供することにその目的がある。
【００１３】
本発明は、レインビューのために噴射された水を水槽に案内する加湿清浄装置を提供することにその目的がある。
【００１４】
本発明は、上部給水された水を水槽に案内する加湿清浄装置を提供することにその目的がある。
本発明の課題は、以上で言及した課題に制限されず、言及されていないさらに異なる課題は、下記の記載から当業者に明確に理解され得るであろう。
【課題を解決するための手段】
【００１５】
本発明に係る加湿清浄装置は、水が保存される水槽と、前記水槽に形成され、前記水槽の内外側を連通させるエアーウォッシュ流入口と、水を吸収できる材質で形成され、前記エアーウォッシュ流入口を通過する空気に対して加湿を提供する水槽加湿媒体とを備え、前記水槽加湿媒体は、前記エアーウォッシュ流入口の内側に位置して前記エアーウォッシュ流入口をカバーする。
【００１６】
前記エアーウォッシュ流入口を通過する空気は、水槽の外側から前記水槽の内側に流動するように圧力が形成され得る。
【００１７】
前記エアーウォッシュ流入口は、前記水槽の３６０度全方向に形成され、前記水槽加湿媒体は、前記エアーウォッシュ流入口全体をカバーできる。
【００１８】
前記水槽加湿媒体の下端は、前記水槽内側に位置し得る。
【００１９】
前記水槽加湿媒体の上端は、前記水槽の外側に位置し、下端は、前記水槽の内側に位置し得る。
【００２０】
前記水槽内部に配置され、前記水槽に保存された水を噴射するウォータリングユニットをさらに備え、前記水槽加湿媒体は、前記水槽に保存された水と離間して配置され、前記ウォータリングユニットから噴射された水が前記水槽加湿媒体を濡らすことができる。
【００２１】
前記水槽加湿媒体のうちの一部は、前記水槽とオーバーラップされ、前記ウォータリングユニットは、前記オーバーラップされた部分に水を噴射できる。
【００２２】
前記水槽加湿媒体が設けられる水槽加湿媒体ハウジングをさらに備え、前記水槽加湿媒体ハウジングは、水を前記水槽に案内する落水防止流路をさらに備えることができる。
【００２３】
前記水槽加湿媒体ハウジングの上端は、前記水槽の外側に位置し、下端は、前記水槽の内側に位置し得る。
【００２４】
前記水槽加湿媒体ハウジングの下端は、前記水槽とオーバーラップされることができる。
【００２５】
前記水槽加湿媒体ハウジングは、前記水槽と分離可能に据え置かれ、前記水槽加湿媒体ハウジングの上端には、流れ落ちた水を前記水槽内側に案内するガイドが配置され得る。
【００２６】
前記水槽のうち、少なくとも一部を形成し、外部から内部を透視してみることができる材質で形成されたビジュアルボディをさらに備え、前記エアーウォッシュ流入口は、前記ビジュアルボディの下側に配置されることができる。
【００２７】
前記ビジュアルボディの側面は、前記水槽の内側に向かって傾斜して形成されることができる。
【００２８】
前記ビジュアルボディの内側には、流れ落ちた水を一時保存するリザーバが形成され得る。
【００２９】
前記水槽加湿媒体が設けられる水槽加湿媒体ハウジングをさらに備え、前記水槽加湿媒体ハウジングの上端は、前記ビジュアルボディとオーバーラップされ、下端は、前記水槽とオーバーラップされることができる。
【００３０】
前記水槽加湿媒体ハウジングは、前記ビジュアルボディと分離可能に据え置かれることができる。
【００３１】
前記水槽加湿媒体が設けられる水槽加湿媒体ハウジングをさらに備え、前記水槽加湿媒体ハウジングの上端に配置され、流れ落ちた水を前記水槽内側に案内する落水防止ガイドをさらに備えることができる。
【００３２】
前記水槽加湿媒体が設けられる水槽加湿媒体ハウジングと、前記ビジュアルボディの内側に形成され、流れ落ちた水を一時保存するリザーバと、前記水槽加湿媒体ハウジングの上端に配置され、流れ落ちた水を前記水槽内側に案内するガイドとをさらに備え、前記ガイドは、前記リザーバ上側に位置し得る。
【００３３】
前記ビジュアルボディの上部内側に配置され、給水流路及び吐出流路を形成するトップカバーアセンブリをさらに備え、前記吐出流路に流動した水は、前記ビジュアルボディ内側に沿って流れ落ち、前記ビジュアルボディには、流れ落ちる水を一時保存するリザーバが形成され得る。
【００３４】
前記水槽内部に配置され、前記水槽に保存された水を噴射するウォータリングユニットと、前記水槽加湿媒体が設けられる水槽加湿媒体ハウジングとをさらに備え、前記水槽加湿媒体は、前記水槽に保存された水と離間して配置され、前記ウォータリングユニットから噴射された水が前記水槽加湿媒体を濡らし、前記水槽加湿媒体ハウジングは、前記エアーウォッシュ流入口外側に位置し、前記水槽とオーバーラップされるフレームをさらに備え、前記ウォータリングユニットは、前記フレームに水を噴射できる。
【発明の効果】
【００３５】
本発明に係る加湿清浄装置は、次のような効果が１つあるいはそれ以上ある。
【００３６】
第１に、水槽加湿媒体がエアーウォッシュ流入口をカバーするので、加湿流路の水がエアーウォッシュ流入口を介して外に漏水されることを防止するという長所がある。
【００３７】
第２に、水槽加湿媒体の下端が水槽内に位置するので、水槽加湿媒体を濡らして残った水が水槽に移動されるという長所がある。
【００３８】
第３に、エアーウォッシュ流入口を通過する空気が外側から内側に流動するので、加湿流路の水がエアーウォッシュ流入口を介して外に漏水されることを防止するという長所がある。
【００３９】
第４に、ウォータリングのために、水槽加湿媒体に水を供給するとき、水槽及び水槽加湿媒体のオーバーラップされた部分に水が噴射されるので、エアーウォッシュ流入口外に水が漏水されることを防止できる。
【００４０】
第５に、水槽加湿媒体ハウジングの上端がビジュアルボディに据え置かれ、下端が水槽の内側に位置するので、エアーウォッシュ流入口全体をカバーでき、エアーウォッシュ流入口外に水が漏水されることを防止できる。
【００４１】
第６に、水槽加湿媒体ハウジングは、ウォータリングのために供給された水を再度水槽に案内するという長所がある。
【００４２】
第７に、ビジュアルボディは、レインビューのために供給された水を再度水槽に案内するという長所がある。
【００４３】
第８に、ビジュアルボディは、上部給水のために供給された水を再度水槽に案内するという長所がある。
本発明の効果は、以上で言及した効果に制限されず、言及されていないさらに異なる効果は、請求の範囲の記載から当業者に明確に理解され得るであろう。
【図面の簡単な説明】
【００４４】
【図１】本発明の第１の実施形態に係る加湿清浄装置の斜視図である。
【図２】図１の分解斜視図である。
【図３】図１の分解正面図である。
【図４】図３の分解断面図である。
【図５】本発明の第１の実施形態に係る加湿清浄装置の空気流れが示された例示図である。
【図６】図２に示された水槽の斜視図である。
【図７】図６のＣを拡大した拡大図である。
【図８】図６の正断面図である。
【図９】図６の左側断面図である。
【図１０】図８のＤを拡大した拡大図である。
【図１１】図９に水槽加湿媒体ハウジングが据え置かれたエアーウォッシュモジュールの断面図である。
【図１２】図８に水槽加湿媒体ハウジングが据え置かれたエアーウォッシュモジュールの断面図である。
【図１３】図１１に示された水槽加湿媒体ハウジングの斜視図である。
【図１４】図１３の下側から見た斜視図である。
【図１５】図１３の正面図である。
【図１６】図１５のＡ−Ａに沿って切断された断面図である。
【図１７】図１６のＢが示された拡大図である。
【図１８】図１６のＣが示された拡大図である。
【図１９】図１３の一部分解斜視図である。
【図２０】図１９の下側から見た斜視図である。
【図２１】図１９の正面図である。
【図２２】図２１のＤ−Ｄに沿って切断された断面図である。
【図２３】本発明の第１の実施形態に係るウォータリングユニットが示された分解斜視図である。
【図２４】図２３に示されたウォータリングユニットの結合斜視図である。
【図２５】図２４の断面図である。
【図２６】本発明の第２の実施形態に係る水槽加湿媒体の設置状態が示された断面図である。
【図２７】本発明の第３の実施形態に係る水槽加湿媒体の設置状態が示された断面図である。
【発明を実施するための形態】
【００４５】
本発明の利点及び特徴、そして、それらを達成する方法は、添付される図面とともに詳細に後述されている実施形態を参照すれば明確になるであろう。しかし、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。
以下、本発明の実施形態を添付された図面を参照して詳細に説明する。
図１は、本発明の第１の実施形態に係る加湿清浄装置の斜視図であり、図２は、図１の分解斜視図であり、図３は、図１の分解正面図であり、図４は、図３の分解断面図である。
本実施形態に係る加湿清浄装置は、エアークリーンモジュール１００及び前記エアークリーンモジュール１００上側に据え置かれるエアーウォッシュモジュール２００を備える。
前記エアークリーンモジュール１００は、外部空気を吸入した後にろ過し、ろ過空気を前記エアーウォッシュモジュール２００に提供する。前記エアーウォッシュモジュール２００は、前記ろ過空気の供給を受けて水分を提供する加湿を行い、加湿空気を外部に吐出する。
前記エアーウォッシュモジュール２００は、水が保存される水槽３００を備える。前記水槽３００は、前記エアーウォッシュモジュール２００が分離されるとき、前記エアークリーンモジュール１００から分離可能である。前記エアーウォッシュモジュール２００は、エアークリーンモジュール１００上に据え置かれる。
ユーザは、前記エアーウォッシュモジュール２００をエアークリーンモジュール１００から分離することができ、分離されたエアーウォッシュモジュール２００を掃除することができる。ユーザは、エアーウォッシュモジュール２００が分離されたエアークリーンモジュール１００内部を掃除することもできる。前記エアーウォッシュモジュール２００が分離された場合、前記エアークリーンモジュール１００の上面がユーザに開放される。
前記エアークリーンモジュール１００は、後述するフィルタアセンブリ１０を備え、ベースボディ１１０からフィルタアセンブリ１０を分離した後、掃除することができる。
ユーザは、前記エアーウォッシュモジュール２００に水を供給できる。前記エアーウォッシュモジュール２００には、外部から前記水槽３００へ水を供給できる給水流路１０９が形成される。
前記給水流路１０９は、空気が吐出される吐出流路１０７と分離されて構成される。前記給水流路１０９は、いつでも前記水槽に水を供給できるように構成される。例えば、前記エアーウォッシュモジュール２００が作動中であるときにも給水流路を介して水を供給できる。例えば、前記エアーウォッシュモジュール２００がエアークリーンモジュール１００に結合された状態でも給水流路を介して水を供給できる。例えば、前記エアーウォッシュモジュール２００がエアークリーンモジュール１００から分離される状態であるときにも給水流路を介して水を供給できる。
前記エアークリーンモジュール１００及びエアーウォッシュモジュール２００は、連結流路１０３を介して連結される。前記エアーウォッシュモジュール２００が分離可能であるため、前記連結流路１０３は、エアークリーンモジュール１００及びエアーウォッシュモジュール２００に分散されて配置される。前記エアーウォッシュモジュール２００がエアークリーンモジュール１００に据え置かれるとき、初めてエアーウォッシュモジュール２００の流路とエアークリーンモジュール１００の流路とが連結流路１０３を介して互いに連通される。
前記エアークリーンモジュール１００に形成された連結流路をクリーン連結流路１０４と定義し、前記エアーウォッシュモジュール２００に形成された連結流路を加湿連結流路１０５と定義する。
前記エアークリーンモジュール１００及びエアーウォッシュモジュール２００を通過する空気の流動は、より詳細に後述する。
以下、エアークリーンモジュール１００及びエアーウォッシュモジュール２００についてより詳細に説明する。
前記エアークリーンモジュール１００は、ベースボディ１１０と、前記ベースボディ１１０に配置され、空気をろ過させるフィルタアセンブリ１０と、前記ベースボディ１１０に配置され、空気を流動させる送風ユニット２０とを備える。
前記エアーウォッシュモジュール２００は、加湿のための水が保存され、前記エアークリーンモジュール１００に分離可能に据え置かれる水槽３００と、前記水槽３００に配置され、前記水槽３００内部に配置され、前記水槽の水を噴射するウォータリングユニット４００と、前記ウォータリングユニット４００から噴射された水により濡らされ、流動する空気に水分を提供する加湿媒体５０と、前記水槽３００に結合され、内部を見ることができる材質で形成されたビジュアルボディ２１０と、前記ビジュアルボディ２１０に分離可能に据え置かれ、空気が吐出される吐出流路１０７及び水が供給される給水流路１０９が形成されたトップカバーアセンブリ２３０とを備える。
前記エアークリーンモジュール１００には、吸入流路１０１、ろ過流路１０２、送風流路１０８、クリーン連結流路１０４が配置される。前記吸入流路１０１を介して吸入された空気は、ろ過流路１０２、送風流路１０８を経てクリーン流路１０４に流動する。
前記エアーウォッシュモジュール２００は、加湿連結流路１０５、加湿流路１０６、吐出流路１０７、及び給水流路１０９が配置される。
前記エアークリーンモジュール１００のクリーン連結流路１０４及びエアーウォッシュモジュール２００の加湿連結流路１０５は、エアーウォッシュモジュール２００がエアークリーンモジュール１００に据え置かれるとき、初めて連結される。
前記エアーウォッシュモジュール２００の加湿連結流路１０５を介して供給されたろ過空気は、加湿流路１０６及び吐出流路１０７を経て室内に吐出される。前記給水流路１０９は、加湿流路１０６と連通されるが、空気は吐出させず、水のみ給水され得る構造で製作される。
まず、エアークリーンモジュール１００の各構成について説明する。
前記ベースボディ１１０は、アッパーボディ１２０及びロアボディ１３０で構成される。前記ロアボディ１３０上側に前記アッパーボディ１２０が積層され、前記アッパーボディ１２０及びロアボディ１３０は組み立てられる。
前記ベースボディ１１０内部に空気が流動する。
前記ロアボディ１３０に吸入流路１０１、ろ過流路１０２、及び送風流路１０８が配置され、前記吸入流路１０１、ろ過流路１０２、及び送風流路１０８を形成させる構造物等が配置される。
前記アッパーボディ１２０に連結流路１０３の一部が配置され、ろ過された空気を前記エアーウォッシュモジュール２００に案内するための構造物等及びエアーウォッシュモジュール２００を据え置くための構造物等が配置される。
前記ベースボディ１１０は、外形を形成し、下側面に吸入口１１１が形成されたロアボディ１３０と、外形を形成し、前記ロアボディ１３０上側に結合されるアッパーボディ１２０とを備える。
前記フィルタアセンブリ１０は、前記ベースボディ１１０から脱着可能に組み立てられる。
前記フィルタアセンブリ１０は、ろ過流路１０２を提供し、外部空気に対してフィルタリングを行う。前記フィルタアセンブリ１０は、前記ベースボディ１１０に対して水平方向に脱着可能な構造である。前記フィルタアセンブリ１０は、垂直方向を逆らって流動する空気の流動方向に対して交差するように配置される。前記フィルタアセンブリ１０は、水平方向にスライド移動され、垂直方向上側に流動する空気に対してろ過を行う。前記フィルタアセンブリ１０は、水平に配置され、上下方向にろ過流路１０２を形成する。
前記フィルタアセンブリ１０は、前記ベースボディ１１０に対して水平方向に摺動されることができる。
前記フィルタアセンブリ１０は、前記ロアボディ１３０内部に配置され、ろ過流路１０２を形成するフィルタハウジング１１と、前記フィルタハウジング１１に分離可能に結合され、前記ろ過流路１０２を通過する空気に対してろ過を行うフィルタ１４とを備える。
前記フィルタハウジング１２は、下側が吸入流路１０１と連通され、上側が送風流路１０８と連通される。前記吸入流路１０１を介して吸入された空気は、ろ過流路１０２を経て送風流路１０８に流動する。
前記フィルタハウジング１２は、前記ろ過流路１０２と交差する方向に一側が開口する。前記フィルタハウジング１２の開口面を介して前記フィルタ１４が分離可能に結合され得る。前記フィルタハウジング１２の開口面は、側方向に形成される。前記フィルタハウジング１２の開口面は、ロアボディ１３０の外側面に配置される。これにより、前記フィルタ１４は、前記ロアボディ１３０の側面を介して挿入され、フィルタハウジング１２内部に位置する。前記フィルタ１４は、前記ろ過流路１０２と交差するように配置され、前記ろ過流路１０２を通過する空気に対してろ過を行う。
前記フィルタ１４は、印加された電源を帯電させて空気中の異物を捕集する電気集塵フィルタでありうる。前記フィルタ１４は、ろ過材を介して空気中の異物を捕集する材質で形成されることができる。前記フィルタ１４は、様々な構造が配置され得る。前記フィルタ１４のろ過方式またはフィルタのろ過材によって本発明の権利が制限されない。
前記ろ過流路１０２は、加湿清浄装置の主な流動方向と同じ方向に配置される。本実施形態において前記ろ過流路１０２は、上下方向に配置され、重力反対方向に空気を流動させる。すなわち、前記加湿清浄装置の主な流動方向は、下側から上側に向かうように形成される。
前記フィルタハウジング１２の上側に送風ユニット２０が配置される。
前記フィルタハウジング１２の上側面は、開口して形成され、前記ろ過流路１０２を通過した空気は、前記送風ユニット２０に流動する。
前記送風ユニット２０は、空気の流動を生成させる。前記送風ユニット２０は、前記ベースボディ１１０内部に配置され、下側から上側に空気を流動させる。
前記送風ユニット２０は、送風ハウジング１５０、送風モータ２２、及び送風ファン２４で構成される。本実施形態において前記送風モータ２２が上側に配置され、送風ファン２４が下側に配置される。前記送風モータ２２のモータ軸が下方に向かって設けられ、前記送風ファン２４と組み立てられる。
前記送風ハウジング１５０は、前記ベースボディ１１０内部に配置される。前記送風ハウジング１５０は、流動する空気の流路を提供する。前記送風ハウジング１５０に前記送風モータ２２及び送風ファン２４が配置される。
前記送風ハウジング１５０は、前記フィルタアセンブリ１０上側に配置され、前記アッパーボディ１２０下側に配置される。
前記送風ハウジング１５０は、内部に送風流路１０８を形成させる。前記送風流路１０８に前記送風ファン２４が配置される。前記送風流路１０８は、ろ過流路１０２及びクリーン連結流路１０４を連結させる。
前記送風ファン２４は、遠心ファンであって、下側で空気を吸入した後、半径方向外側に空気を吐出させる。前記送風ファン２４は、半径方向外側及び上側に空気を吐出させる。前記送風ファン２４は、外側端が半径方向上側に向かうように形成される。
前記送風モータ２２は、流動する空気との接触を最小化させるために、前記送風ファン２４の上側に配置される。前記送風モータ２２は、送風ファン２４により囲まれて設けられる。前記送風モータ２２は、前記送風ファン２４による空気流路上に位置せず、送風ファン２４により流動する空気と抵抗を発生させない。
前記アッパーボディ１２０は、ベースボディ１１０の外形を形成し、ロアボディ１３０と結合されるアッパーアウターボディ１２８と、前記アッパーアウターボディ１２８の内側に配置され、前記水槽３００が挿入され、連結流路１０３を提供するアッパーインナーボディ１４０と、前記アッパーインナーボディ１４０及びアッパーアウターボディ１２８を結合させ、空気を前記水槽３００に案内するエアーガイド１７０とを備える。
前記アッパーボディ１２０は、連結流路及び水槽挿入空間を分離して配置するので、水槽３００の水が連結流路に流入することを最小化できる。特に、アッパーインナーボディを介して仕切られて連結流路が水が保存される空間の外側に配置されるので、水が連結流路に流入することを抑制できる。
前記アッパーインナーボディ１４０は、上側が開口して形成され、前記水槽３００が挿入される。前記アッパーインナーボディ１４０は、ろ過空気が流入するクリーン連結流路１０４のうちの一部を形成する。
前記アッパーインナーボディ１４０は、エアーウォッシュ流入口３１と対応するアッパー流入口１２１が形成される。前記アッパー流入口１２１は、必須構成要素ではない。アッパーボディ１２０が前記エアーウォッシュ流入口３１を連結流路１０３に露出させる形状であれば、それで十分である。
前記エアーガイド１７０は、クリーン連結流路１０４を介して供給された空気を前記アッパー流入口１２１に案内する。前記エアーガイド１７０は、ベースボディ１１０の外側に沿って上昇された空気を内側に集める。前記エアーガイド１７０は、下側から上側に流動する空気の流動方向を切り換える。ただし、前記エアーガイド１７０は、空気の流動方向を切り換えるものの、その角度を最小化させて空気の流動抵抗を最小化させる。
前記エアーガイド１７０は、アッパーインナーボディ１４０の外側を３６０度囲むように形成される。前記エアーガイド１７０は、３６０度全方向に対して空気を前記水槽３００に案内する。前記エアーガイド１７０は、ロアボディ１３０の外側に沿って案内された空気を内側に集めて水槽３００に供給する。このような構造により前記水槽３００に供給される空気の流量を十分確保できる。
これにより、前記エアーガイド１７０は、空気の流動方向に形成された案内部１７２と、前記案内部１７２と連結され、案内された空気の流動方向を切り換える切換部１７４とを備える。
前記エアーガイド１７０は、連結流路１０３を形成する。
前記案内部１７２は、ろ過流路１０２と略同じ方向に形成され、本実施形態では、、上下方向に形成される。前記切換部１７４は、前記ろ過流路１０２と交差する方向に形成され、本実施形態では、、略水平方向に形成される。
前記切換部１７４は、エアーガイド１７０の上側に形成される。前記切換部１７２は、案内部１７２と曲面に連結されることが好ましい。
前記切換部１７４が水平方向に形成されても、前記連結流路１０３を通過する空気は、略傾斜した上側方向に流動する。前記連結流路１０３及びろ過流路１０２の転流角を直進方向と類似して形成し、空気の流動抵抗を低減できる。
前記案内部１７２の下端が前記アッパーアウターボディ１２８に固定される。前記切換部１７４の上側端が前記アッパーインナーボディ１４０に固定される。
前記アッパーインナーボディ１４０外側に前記クリーン連結流路１０４のうちの一部が形成される。前記エアーガイド１７０がクリーン連結流路１０４のうちの一部を形成する。前記クリーン連結流路１０４を通過した空気は、アッパー流入口１２１及びエアーウォッシュ流入口３１を介して水槽３００内部に流動する。
前記アッパーインナーボディ１４０は、全体的にバスケット状である。前記アッパーインナーボディ１４０は、平断面が円形に形成され、前記クリーン連結流路１０４は、３６０度全方向に形成される。
前記エアーガイド１７０は、ろ過空気を前記クリーン連結流路１０４に案内するための構成であり、実施形態によって含まれないこともある。前記エアーガイド１７０は、アッパーインナーボディ１４０またはアッパーアウターボディ１２８を結合させる。
前記エアーガイド１７０は、前記アッパーインナーボディ１４０を囲むように形成される。特に、前記エアーガイド１７０は、アッパー流入口１２１を囲むように形成され、前記アッパー流入口１２１にろ過空気を案内する。平面から見るとき、前記エアーガイド１７０は、ドーナッツ状である。
本実施形態において前記エアーガイド１７０の上端は、前記アッパーインナーボディ１４０の上端に密着される。
平面から見るとき、前記エアーガイド１７０の上側面と前記アッパーインナーボディ１４０の上側面とが一致する。本実施形態において前記アッパーインナーボディ１４０の上端には、前記エアーガイド１７０と結合または密着されるアッパーインナーボディリング１２６が形成される。
前記アッパーインナーボディ１４０及びアッパーインナーボディリング１２６を連結するインナーボディ延長部１４８が形成される。前記インナーボディ延長部１４８は、複数個が配置される。前記インナーボディ延長部１４８及びアッパーインナーボディリング１２６間にアッパー流入口１２１が形成される。
前記インナーボディ延長部１４８は、ブリッジ３８０と対応する。前記水槽３００の据え置きの際、前記インナーボディ延長部１４８の内側にブリッジ３８０が位置する。前記インナーボディ延長部１４８及びブリッジ３８０は、内外に重なる。
前記エアーガイド１７０の上端は、前記アッパーインナーボディリング１２６と密着または結合される。前記エアーガイド１７０の下端は、アッパーアウターボディ１２８と密着または結合される。
これにより、前記アッパーインナーボディ１４０及びアッパーアウターボディ１２８間のクリーン連結流路１０４を介して流動する空気は、アッパー流入口１２１に案内される。
前記アッパーインナーボディリング１２６の直径と前記エアーガイド１７０上端の直径とが一致するか、類似している。前記エアーガイド１７０及びアッパーインナーボディリング１２６が密着されてろ過空気の漏れを防止する。前記アッパーインナーボディリング１２６は、エアーガイド１７０の内側に配置される。
前記アッパーアウターボディ１２８に取っ手１２９が形成され得る。前記アッパーボディ１２０にエアーウォッシュモジュール２００が据え置かれるところ、前記取っ手１２９を介して加湿清浄装置全体を持ち上げることができる。
前記アッパーインナーボディ１４０は、水槽３００が挿入され得るように内部に水槽挿入空間１２５が形成される。
前記アッパー流入口１２１を基準に外側にクリーン連結流路１０４が配置され、内側に水槽挿入空間１２５が配置される。前記クリーン連結流路１０４に沿って流動した空気は、アッパー流入口１２１を通過する。前記水槽３００が水槽挿入空間１２５に据え置かれた場合、前記アッパー流入口１２１を通過したろ過空気は、水槽３００内部に流入する。
一方、アッパーボディ１２０の上側にアウタービジュアルボディ２１４が結合される。
前記アウタービジュアルボディ２１４は、ビジュアルボディ２１０の構成であるが、本実施形態では、、アッパーボディ１２０に固定される。本実施形態とは異なり、前記アウタービジュアルボディ２１４は、エアーウォッシュモジュール２００に固定されても構わない。本実施形態とは異なり、前記アウタービジュアルボディ２１４は、削除可能な構成である。
前記アウタービジュアルボディ２１４は、アッパーボディ１２０に固定される。本実施形態において前記アウタービジュアルボディ２１４は、アッパーアウターボディ１２８に結合される。前記アウタービジュアルボディ２１４は、アッパーアウターボディ１２８の外側面が連続した面を形成する。
アウタービジュアルボディ２１４は、内部を透視できる材質で形成される。前記アウタービジュアルボディ２１４は、透明であるか、半透明な材質で形成され得る。
前記エアークリーンモジュール１００またはエアーウォッシュモジュール２００のうち、少なくともいずれか１つに作動状態をユーザに表示するディスプレイモジュール１６０が配置され得る。本実施形態では、、前記ベースボディ１１０に加湿清浄装置の作動状態をユーザに表示するディスプレイモジュール１６０が設けられる。
前記アウタービジュアルボディ２１４内側にディスプレイモジュール１６０が配置される。前記ディスプレイモジュール１６０は、アウタービジュアルボディ２１４の内側面に密着されるように配置される。前記ディスプレイモジュール１６０は、平面から見るとき、ドーナッツ状である。前記ディスプレイモジュール１６０の内側に前記水槽３００が挿入される。
前記ディスプレイモジュール１６０は、アウタービジュアルボディ２１４に支持される。前記ディスプレイモジュール１６０の内側縁は、アッパーインナーボディリング１２６に支持される。前記ディスプレイモジュール１６０は、エアーガイド１７０上側に位置する。前記ディスプレイモジュール１６０は、ベースコネクタ２６０と一体に製作されることができる。
前記ディスプレイモジュール１６０は、エアーガイド１７０上側に位置する。前記ディスプレイモジュール１６０は、アッパーアウターボディ１２８及びアッパーインナーボディ１４０間に配置されることができる。前記ディスプレイモジュール１６０は、ユーザがアッパーアウターボディ１２８及びアッパーインナーボディ１４０間を見ることができないようにカバーする。特に、前記アッパーアウターボディ１２８及びアッパーインナーボディ１４０間に水が浸透することを遮断するために、前記ディスプレイモジュール１６０の内側及び外側はシーリングされることが好ましい。
前記ディスプレイモジュール１６０の内側は、アッパーインナーボディ１４０に支持され、外側は、アウタービジュアルボディ２１８に支持される。
本実施形態において前記ディスプレイモジュール１６０はリング形状に形成される。本実施形態とは異なり、前記ディスプレイモジュール１６０は、弧形状に形成されることができる。前記ディスプレイモジュール１６０の表面は、光を反射できる材質で形成されるか、光を反射できる材質がコーティングされる。
これにより、前記ビジュアルボディ２１０に水が結ばれる場合、ビジュアルボディ２１０に結ばれた水がディスプレイモジュール１６０表面に投影されたり、反射されることができる。前記ビジュアルボディ２１０で結ばれた水が流れ落ちる場合、前記ディスプレイモジュール１６０にも同じ効果が表れる。
このような効果は、ユーザに視覚的な刺激を与え、加湿がなされていることをユーザが直観的に認知できる。前記ディスプレイモジュール１６０に投影された水滴イメージは、ユーザに清涼感を与える感性的効果だけでなく、加湿状態を分かることができる機能的効果もある。
前記ディスプレイモジュール１６０の上側面は、傾斜して形成される。前記ディスプレイモジュール１６０は、ユーザ側に傾斜して形成される。これにより、内側が高く、外側が低く形成される。
次に、エアーウォッシュモジュール２００の各構成について説明する。
前記エアーウォッシュモジュール２００は、ろ過空気に対して加湿を提供する。前記エアーウォッシュモジュール２００は、加湿流路１０６でレインビューを実現することができる。前記エアーウォッシュモジュール２００は、水槽３００の水を噴射し、これを循環させる。前記エアーウォッシュモジュール２００は、水を小さな大きさの液滴に変換させ、飛散した液滴を介してろ過空気を再度洗い落とす。飛散した水滴を介してろ過空気をウォッシング（ｗａｓｈｉｎｇ）するとき、加湿及びろ過が再度なされる。
前記エアーウォッシュモジュール２００は、加湿連結流路１０５、加湿流路１０６、吐出流路１０７、及び給水流路１０９を備える。
前記エアーウォッシュモジュール２００は、水槽３００、ウォータリングユニット４００、加湿媒体５０、ビジュアルボディ２１０、トップカバーアセンブリ２３０、及びハンドル１８０を備える。
前記ハンドル１８０は、ビジュアルボディ２１０に結合され、前記ビジュアルボディ２１０で回転され、前記ビジュアルボディ２１０に収納される。前記ハンドル１８０を介してエアーウォッシュモジュール２００のみを簡便に持ち上げることができ、前記エアークリーンモジュール１００から分離することができる。
前記加湿連結流路１０５は、水槽３００の外側に配置され、前記水槽３００の内部に空気を案内することができる。前記加湿連結流路１０５は、ビジュアルボディ２１０の外側に配置され、前記ビジュアルボディ２１０の内部に空気を案内することができる。
前記加湿連結流路１０５は、水槽３００またはビジュアルボディ２１０のうち、少なくともいずれか１つの外側に配置され、水槽３００またはビジュアルボディ２１０のうち、いずれか１つの内部に空気を案内することができる。
前記吐出流路１０７は、トップカバーアセンブリ２３０及びビジュアルボディ２１０の間に配置されることができる。前記吐出流路１０７は、トップカバーアセンブリ２３０またはビジュアルボディ２１０のうち、少なくともいずれか１つに配置されることができる。
本実施形態では、、トップカバーアセンブリ２３０の外側縁に吐出流路１０７が形成され、前記トップカバーアセンブリ２３０の内側中央に給水流路１０９が配置される。
本実施形態に係る加湿清浄装置は、前記エアークリーンモジュール１００に電源が連結され、前記エアーウォッシュモジュール２００は、前記エアークリーンモジュール１００を介して電源の供給を受ける。
前記エアーウォッシュモジュール２００が前記エアークリーンモジュール１００に対して分離可能な構造であるから、前記エアークリーンモジュール１００及びエアーウォッシュモジュール２００は、分離可能な電源供給構造が備えられる。
前記エアークリーンモジュール１００及びエアーウォッシュモジュール２００は、前記アッパーボディ１２０を介して分離可能に組み立てられるので、前記アッパーボディ１２０には、前記エアーウォッシュモジュール２００に電源を提供するベースコネクタ２６０が配置される。
前記エアーウォッシュモジュール２００のトップカバーアセンブリ２３０は、電源を必要とする操作部及びディスプレイが配置される。前記エアーウォッシュモジュール２００には、前記ベースコネクタ２６０と分離可能に連結されるトップコネクタ２７０が配置される。前記トップコネクタ２７０は、トップカバーアセンブリ２３０に配置される。
本実施形態では、、前記トップカバーアセンブリ２３０を分離できるので、ビジュアルボディ２１０の内側面または水槽３００の内側面を簡便に掃除することができる。
前記トップカバーアセンブリ２３０は、内側に給水流路１０９が形成され、ビジュアルボディ２１０との間に吐出流路１０７を形成させる。前記トップカバーアセンブリ２３０は、前記ビジュアルボディ２１０に対して分離可能に設けられる。前記トップカバーアセンブリ２３０は、ベースコネクタ２６０と電気的に連結されるトップコネクタ２７０が配置される。
前記トップカバーアセンブリ２３０が据え置かれるとき、トップコネクタ２７０がベースコネクタ２６０上側に据え置かれる。前記トップカバーアセンブリ２３０は、前記トップコネクタ２７０を介して前記ベースコネクタ２６０から電気の供給を受ける。
前記給水流路１０９の周りには、前記水槽３００の水位を表示する水位表示部（図示せず）が配置される。これにより、ユーザは、水を給水するとき、見えない水槽３００の水位がある程度満たされたかを確認することができる。このように、ユーザが水を給水する動線上に水位表示部を配置することにより、ユーザが水を過度に供給することを防止でき、水槽３００から水が溢れることを防止できる。
前記水位表示部は、前記トップカバーアセンブリ２３０に配置される。前記トップコネクタ２７０及びベースコネクタ２６０の分離可能な電源供給構造は、上部給水を効果的に構成できるようにする。
前記水槽３００は、前記アッパーボディ１２０に分離可能に据え置かれる。前記ウォータリングユニット４００は、前記水槽３００内部に配置され、前記水槽３００内部で回転される。
前記水槽３００は、水が保存される水槽ボディ３２０と、前記水槽ボディ３２０の側面に形成されたエアーウォッシュ流入口３１と、前記水槽ボディ３２０から上側へ延びて形成され、前記ビジュアルボディ２１０に結合されるブリッジ３８０とを備える。
本実施形態において前記水槽ボディ３２０は、上側が開口した円筒形に形成される。本実施形態とは異なり、前記水槽ボディ３２０は、様々な形状に形成されることができる。
前記ブリッジ３８０は、前記水槽３００から上側へ延びて形成される。前記ブリッジ３８０は、前記エアーウォッシュ流入口３１を形成させる。前記ブリッジ３８０間に前記エアーウォッシュ流入口３１が形成される。
前記エアーウォッシュ流入口３１は、水槽ボディ３２０の側面に形成される。前記エアーウォッシュ流入口３１は、水槽ボディ３２０に対して３６０度全方向に形成される。前記エアーウォッシュ流入口３１は、加湿連結流路１０５と連通される。
前記ブリッジ３８０は、前記ビジュアルボディ２１０の内側面から流れ落ちる水を前記水槽３００内部に案内する。前記ビジュアルボディ２１０から流れ落ちる水を案内することによって落水騷音を最小化することができる。
前記ブリッジ３８０は、ビジュアルボディ２１０の下端に締め付けられる。
本実施形態では、、前記水槽ボディ３２０の構成を介してエアーウォッシュ流入口３１が形成される。本実施形態とは異なり、前記ビジュアルボディ２１０にブリッジ３８０を配置してエアーウォッシュ流入口３１を形成させることもできる。また、本実施形態とは異なり、複数個のブリッジ３８０のうちの一部は水槽３００に配置し、複数個のブリッジ３８０のうちの残りはビジュアルボディ２１０に配置して、エアーウォッシュ流入口３１を構成することができる。また、本実施形態とは異なり、ビジュアルボディ２１０及び水槽３００と区分される別の構成にエアーウォッシュ流入口３１を形成させることができる。また、本実施形態とは異なり、ビジュアルボディ２１０に開口面を形成してエアーウォッシュ流入口３１を形成させ、水槽３００にも開口面を形成してエアーウォッシュ流入口３１を形成させることができる。
すなわち、前記エアーウォッシュ流入口３１は、水槽３００またはビジュアルボディ２１０のうち、少なくともいずれか１つに配置されることができる。前記エアーウォッシュ流入口３１は、水槽３００及びビジュアルボディ２１０の結合によって形成されることができる。前記エアーウォッシュ流入口３１を水槽３００及びビジュアルボディ２１０と区分される別の構成に配置した後、これを水槽３００及びビジュアルボディ２１０間に配置することができる。前記エアーウォッシュ流入口３１は、前記水槽３００及びビジュアルボディ２１０の結合によって形成されることができる。
前記エアーウォッシュ流入口３１は、エアーウォッシュモジュール２００の側部に配置され、加湿流路１０６と連結される。前記エアーウォッシュ流入口３１は、加湿連結流路１０５と連通または連結されることができる。
前記ウォータリングユニット４００は、加湿媒体５０に水を供給する機能がある。前記ウォータリングユニット４００は、加湿過程を視角化する機能がある。前記ウォータリングユニット４００は、エアーウォッシュモジュール２００内部にレインビューを実現する機能がある。
前記ウォータリングユニット４００は、ウォータリングハウジング８００を回転させて前記水槽内部の水を吸入し、吸入された水を上側に揚水し、揚水された水を半径方向外側に噴射する。前記ウォータリングユニット４００は、水を内部に吸入し、吸入された水を上側に揚水した後、半径方向外側に噴射させるウォータリングハウジング８００を備える。
本実施形態では、、水を噴射させるために、ウォータリングハウジング８００を回転させる。本実施形態とは異なり、前記ウォータリングハウジング８００の代わりに、ノズルを使用して水を噴射しても構わない。ノズルで水を噴射して加湿媒体５０に水を供給でき、レインビューも同様に実現することができる。実施形態によって、ノズルで水を噴射し、ノズルを回転させることもできる。
前記ウォータリングハウジング８００から噴射された水が前記加湿媒体５０を濡らす。前記ウォータリングハウジング８００から噴射された水は、前記ビジュアルボディ２１０または加湿媒体５０のうち、少なくともいずれか１つに向かって噴射されることができる。
ビジュアルボディ２１０に向かって噴射される水は、レインビューを実現することができる。加湿媒体５０に向かって噴射される水は、ろ過空気を加湿するのに用いられる。ビジュアルボディ２１０に向かって水を噴射してレインビューを実現した後、ビジュアルボディ２１０から流れ落ちた水が加湿媒体５０を濡らすように実現することができる。
本実施形態では、、ウォータリングハウジング８００に高さの異なる複数個の噴射口を配置する。いずれか１つの噴射口から吐出された水がビジュアルボディ２１０の内側面に液滴を形成してレインビューを実現し、残りの１つの噴射口から吐出された水が加湿媒体５０を濡らして加湿に用いられる。
前記ウォータリングハウジング８００は、前記ビジュアルボディ２１０の内側面に向かって水を噴射し、噴射された水は、前記ビジュアルボディ２１０の内側面に沿って下方へ流れ落ちる。前記ビジュアルボディ２１０の内側面には、水滴形態で結ばれた液滴が形成され、ユーザは、前記ビジュアルボディ２１０を介して前記液滴を見ることができる。
特に、ビジュアルボディ２１０から流れ落ちた水は、加湿媒体５０を濡らして加湿に用いられる。前記加湿媒体５０は、ウォータリングハウジング８００から噴射された水及びビジュアルボディから流れ落ちた水により濡らされることができる。
前記ビジュアルボディ２１０は、前記水槽３００と結合され、前記水槽３００の上側に位置する。前記ビジュアルボディ２１０の少なくとも一部は、内部を透視できる材質で形成される。
前記ビジュアルボディ２１０の外側にディスプレイモジュール１６０が配置され得る。前記ディスプレイモジュール１６０は、ビジュアルボディ２１０またはアッパーボディ１２０のうち、いずれか１つに結合されることができる。
前記ディスプレイモジュール１６０は、レインビューを観察できる視線上に配置される。本実施形態において前記ディスプレイモジュール１６０は、前記アッパーボディ１２０に配置される。
前記エアーウォッシュモジュール２００が据え置かれるとき、前記ビジュアルボディ２１０の外側面が前記ディスプレイモジュール１６０に密着される。前記ディスプレイモジュール１６０の表面のうち、少なくとも一部は、光を反射する材質で形成されるか、コーティングされることができる。
前記ビジュアルボディ２１０に結ばれた液滴は、前記ディスプレイモジュール１６０の表面にも投影される。これにより、ユーザは、前記ビジュアルボディ２１０及びディスプレイモジュール１６０の２ヶ所で液滴の動きを観察できる。
前記水槽３００には、空気が通じるエアーウォッシュ流入口３１が形成される。前記エアーウォッシュ流入口３１は、連結流路１０３及び加湿流路１０６間に位置する。前記エアーウォッシュ流入口３１は、連結流路１０３の出口であり、加湿流路１０６の入口である。
前記エアークリーンモジュール１００から供給されたろ過空気は、前記エアーウォッシュ流入口３１を介して前記エアーウォッシュモジュール２００内部に流動する。
前記加湿媒体５０は、加湿流路１０６入口に配置される水槽加湿媒体５１及び加湿流路１０６出口に配置される吐出加湿媒体５５を備える。前記加湿流路１０６の出口と吐出流路１０７の入口とは、互いに連結される。これにより、前記吐出加湿媒体５５が吐出流路１０７に配置されても構わない。
前記連結流路１０３、加湿流路１０６、及び吐出流路１０７はダクトなどのような構造物を介して形成されるものではないため、その境界を明確に区分し難い。ただし、加湿がなされる加湿流路１０６を水槽加湿媒体５１及び吐出加湿媒体５５間と定義する場合、連結流路１０３及び吐出流路１０７が自然に定義される。
前記連結流路１０３は、送風ハウジング１５０及び水槽加湿媒体５１間と定義される。前記吐出流路１０７は、吐出加湿媒体５５以後と定義される。
本実施形態において前記水槽加湿媒体５１は、水槽３００のエアーウォッシュ流入口３１に配置される。
前記水槽加湿媒体５１は、エアーウォッシュ流入口３１と同一平面上、外側、または内側のうち、少なくともいずれか１つに位置し得る。前記水槽加湿媒体５１は、加湿のために水が濡らされるので、前記エアーウォッシュ流入口３１の内側に位置することが好ましい。
前記水槽加湿媒体５１を濡らした後、流れ落ちた水は、前記水槽３００に保存されることが好ましい。前記水槽加湿媒体５１を濡らした後、流れ落ちた水が前記水槽３００外部に流れ落ちないように配置されることが好ましい。
【００４６】
これにより、前記水槽加湿媒体５１は、前記エアーウォッシュ流入口３１を通過するろ過空気に対して加湿を提供する。
前記加湿媒体５０で自然蒸発された水によりろ過空気が加湿される。前記自然蒸発は、別の熱を加えなかった状態で水が蒸発されることをいう。空気との接触が増加するほど、空気の流速が速くなるほど、空気中の圧力が低くなるほど、自然蒸発が促進される。前記自然蒸発を自然気化と指すこともある。
前記加湿媒体５０は、水の自然蒸発を促進させる。本実施形態において前記加湿媒体５０は、水に濡らされるが、水槽３００には浸らない。
前記水槽３００に保存された水と離間し、分離されて配置されるので、水槽３００に保存された水があっても水槽加湿媒体５１及び吐出加湿媒体５５は、常に濡らされた状態ではない。すなわち、加湿モードで作動されるときにのみ水槽加湿媒体５１及び吐出加湿媒体５５が濡らされた状態であり、空気清浄モードで作動されるときには、水槽加湿媒体５１及び吐出加湿媒体５５が乾燥された状態で維持されることができる。
前記水槽加湿媒体５１は、前記エアーウォッシュ流入口３１をカバーし、空気は、前記水槽加湿媒体５１を貫介してて前記水槽３００内部に流動する。
前記吐出加湿媒体５５は、加湿流路１０６の出口または吐出流路１０７入口に配置されることができる。
本実施形態において前記吐出加湿媒体５５は、ビジュアルボディ２１０の上部をカバーするように配置される。前記吐出加湿媒体５５は、ビジュアルボディ２１０に据え置かれる。本実施形態とは異なり、吐出加湿媒体５５は、トップカバーアセンブリ２３０の底面に結合されることができる。
前記吐出加湿媒体５５は、前記吐出流路１０７をカバーし、加湿空気は、前記吐出加湿媒体５５を貫介してた後、吐出流路１０７に流動する。
以下、図面を参照して空気の流動について説明する。
送風ユニット２０が作動されれば、外部空気は、ベースボディ１１０の下側面に形成された吸入流路１０１を介してベースボディ１１０内部に流入する。前記吸入流路１０１を介して吸入された空気は、上側に移動されつつエアークリーンモジュール１００及びエアーウォッシュモジュール２００を順に通過し、エアーウォッシュモジュール２００の上側に形成された吐出流路１０７を介して外部に吐出される。
前記吸入流路１０１に吸入された空気は、フィルタアセンブリ１０のろ過流路１０２を通過し、前記フィルタアセンブリ１０２は、外部空気をろ過する。
前記ろ過流路１０２を通過した空気は、送風ユニット２０を介して連結流路１０３に流動する。前記ろ過流路１０２を通過した空気は、送風流路１０８に流入する。
前記ろ過空気は、送風流路１０８で送風ファン２４により加圧された後、クリーン連結流路１０４に流動する。
前記送風ユニット２０は、ろ過流路１０２の次に配置されるので、ろ過空気を加圧して送風するようになる。フィルタアセンブリ１０及び送風ユニット２０の先後関係配置を介して前記送風ファン２４に埃などのような異物が付着されることを最小化させることができる。
前記送風ユニット２０がろ過流路１０２前に配置される場合、外部空気が送風ファン２４と先に接触され、このため、送風ファン２４に異物が付着される蓋然性が高まる。送風ファン２４が異物に汚染される場合、ユーザが周期的に掃除しなければならず、送風ファン２４を掃除するための構造を提供しなければならない。
本実施形態に係る送風ユニット２０は、空気中の異物が分離されたろ過空気を送風させるために、別の掃除を行わなくても構わない。
また、送風ユニット２０は、加湿流路１０６前に配置されるので、送風ファン２４表面に水分が付着されることを最小化できる。送風ファン２４表面に加湿された水分が付着される場合、異物がからみつくか、かびなどが生じる蓋然性が大きい。
前記送風ユニット２０は、ろ過流路１０２後及び加湿流路１０６前に配置されるので、送風ユニット２０の汚染を最小化できる。
前記連結流路１０３は、エアークリーンモジュール１００に形成されたクリーン連結流路１０４及びエアーウォッシュモジュール２００に形成された加湿連結流路１０５で構成される。
前記エアーウォッシュモジュール２００がアッパーボディ１２０に据え置かれた状態であるとき、前記クリーン連結流路１０４及び加湿連結流路１０５が連結される。前記エアーウォッシュモジュール２００が分離された状態であるとき、前記クリーン連結流路１０４及び加湿連結流路１０５は、外部に露出する。
前記クリーン連結流路１０４は、アッパーボディ１２０に形成され、加湿連結流路１０５は、エアーウォッシュモジュール２００に形成され得る。
前記クリーン連結流路１０４及び加湿連結流路１０５は、ダクト形態で形成されて明確な流路を形成することもできる。本実施形態では、、連結流路１０３をアッパーボディ１２０の構造物及び水槽３００の構造物に分散配置する。
ダクトのような構成によって連結流路１０３を形成させることもできる。しかし、ダクトのような構造物によって水槽３００内部に空気を供給する場合、ダクトによる流動抵抗が大きく発生し、流量を十分確保し難い。水槽３００に供給される流量が制限される場合、送風ファン２４のＲＰＭを増加させなければならず、これによる消費電力及び騷音が増加される。
本実施形態では、、連結流路１０３が３６０度全方向に前記水槽３００に空気を提供し、これにより十分な流量を確保することができる。
送風流路１０８を通過したろ過空気は、アッパーボディ１２０に形成されたクリーン連結流路１０４に流動する。前記アッパーボディ１２０のクリーン連結流路１０４には、ろ過空気の流動方向切換を最小化させるエアーガイド１７０が配置され、前記エアーガイド１７０は、流動するろ過空気の転流角を最小化させる。
本実施形態では、、アッパーボディ１２０に水槽挿入空間１２５を刑成させるアッパーインナーボディ１４０が配置されるので、クリーン連結流路１０４とエアーウォッシュ流入口３１とが直接連結される。
本実施形態とは異なり、前記アッパーインナーボディ１４０の高さが短かったり、無い場合、水槽３００の外側壁が加湿連結流路１０５を提供する。すなわち、アッパーインナーボディ１４０の底１４１のみあり、側壁がない場合、水槽３００の側壁外側が加湿連結流路１０５を提供し、エアーガイド１７０の内側がクリーン連結流路１０４を提供し、前記水槽３００が底１４１に据え置かれるとき、初めて連結流路１０３が連結される。
本実施形態では、、クリーン連結流路１０４のろ過空気がアッパー流入口１２１及びエアーウォッシュ流入口３１を順に通過した後、水槽加湿媒体５１を通過し、加湿流路１０６に流動する。
前記加湿流路１０６は、ろ過空気に水分が供給される区間である。本実施形態において前記加湿流路１０６は、水槽加湿媒体５１から吐出加湿媒体５５までの流路または空間である。
前記加湿流路１０６では、様々な経路を介して加湿がなされる。
第１に、ろ過空気が水槽加湿媒体５１を通過する過程で水槽加湿媒体５１の水分が自然蒸発され、ろ過空気に水分が供給され得る。
第２に、前記ウォータリングユニット４００で飛散した水滴によりろ過空気に水分が供給され得る。
第３に、前記水槽３００で蒸発された水分により加湿がなされ得る。
第４に、ろ過空気が吐出加湿媒体５５を通過する過程でも吐出加湿媒体５５に濡らされた水が自然蒸発され、ろ過空気に水分が供給され得る。
このように、ろ過空気は、加湿流路１０６を通過するとき、様々な経路を介して水分の供給を受けることができる。
そして、前記吐出加湿媒体５５を通過した空気は、吐出流路１０７を介して外部に露出する。
前記吐出流路１０７を介してろ過及び加湿がなされた空気が吐出される。前記吐出流路１０７は、上側及び傾斜した方向に対して３６０度全方向に空気を吐出する。
【００４７】
図６は、図２に示された水槽の斜視図であり、図７は、図６のＣを拡大した拡大図であり、図８は、図６の正断面図であり、図９は、図６の左側断面図であり、図１０は、図８のＤを拡大した拡大図である。
【００４８】
水槽３００を構成するビジュアルボディ２１０について説明する。
【００４９】
本実施形態においてビジュアルボディ２１０は、水槽３００と別に製作されたが、本実施形態とは異なり、一体に製作されることができる。前記ビジュアルボディ２１０は、水槽３００と別の構成でありうるし、水槽３００に含まれた構成でありうる。
【００５０】
前記ビジュアルボディ２１０は、透明な材質または半透明な材質で形成され、ユーザは、前記ビジュアルボディ２１０内部を透視してみることができる。ユーザは、前記ビジュアルボディ２１０を介して水槽３００内部の作動状態を確認できる。
【００５１】
前記ビジュアルボディ２１０は、水槽３００に固定されて一体化される。本実施形態において前記ビジュアルボディ２１０は、水槽の上部に位置し、水槽３００の上側に結合される。前記エアーウォッシュ流入口３１を介して水槽３００内部に流入された空気は、ビジュアルボディ２１０に沿って上側に流動する。
【００５２】
前記ビジュアルボディ２１０は、水槽３００と連続された面を形成し、空気の抵抗を最小化させる。
【００５３】
前記ビジュアルボディ２１０の半径方向外側に上述したアウタービジュアルボディ２１４が配置される。本実施形態とは異なり、アウタービジュアルボディ２１４は、省略されることができる。本実施形態において前記ビジュアルボディ２１０は、インナービジュアルボディとして使用される。
【００５４】
前記ビジュアルボディ２１０は、上側及び下側が開口して形成される。本実施形態において前記ビジュアルボディ２１０は、上側開口面が下側開口面より広く形成される。前記ビジュアルボディ２１０の側面２１６は、傾斜して形成される。
【００５５】
前記ビジュアルボディ２１０は、ホッパー形状で形成される。前記ビジュアルボディ２１０は、アウタービジュアルボディ２１４の内側に挿入される。前記アウタービジュアルボディ２１４は、ベースボディ１１０に固定された状態であり、ビジュアルボディ２１０は、前記アウタービジュアルボディ２１４内部に挿入される。前記ビジュアルボディ２１０の上端が前記アウタービジュアルボディ２１４の上端に密着される。
【００５６】
前記ビジュアルボディ２１０は、水を一時保存するリザーバが配置される。本実施形態において前記ビジュアルボディ２１０は、内側に配置され、水を一時保存する上部リザーバ２２０と、内側に配置され、前記上部リザーバ２２０の下側に配置される下部リザーバ２４０とを備える。
【００５７】
前記ビジュアルボディ２１０のリザーバは、１個のみ備えられることができ、３個以上が備えられることもできる。前記リザーバに保存された水は、臨時保存された後、重力により下側に移動される。前記リザーバを介して上側から供給された水が下側に急激に流動することを防止できる。過度な水が下側に流れ落ちる場合、エアーウォッシュ流入口３１を介して水が漏水される危険性が大きくなる。また、過度な水が下側に流れ落ちる場合、水槽３００の水面で過度な落水騷音が発生される。
【００５８】
前記上部リザーバ２２０は、トップカバーアセンブリ２３０の下側に位置する。前記上部リザーバ２２０にトップカバーアセンブリ２３０が分離可能に据え置かれることができる。
【００５９】
前記上部リザーバ２２０は、水が一時保存される上部保存空間２２５が形成され、下部リザーバ２４０は、水が一時保存される下部保存空間２４５が形成される。
【００６０】
上部保存空間２２５は、ビジュアルボディ２１０、リザーバベース２２３、リザーバウォール２２２により形成される。下部保存空間２４５もビジュアルボディ２１０、リザーバベース２４３、リザーバウォール２４２により形成される。
【００６１】
リザーバベース２２３、２４３は、ビジュアルボディ２１０の側面２１６から内側に突出されて形成される。
【００６２】
リザーバウォール２２２、２４２は、リザーバベース２２３、２４３の内側端から上側に突出されて形成される。
本実施形態においてリザーバウォール２２２、２４２は、複数個が形成され、リザーバウォール２２２、２４２間にリザーバ開口部２２４、２４４が配置され得る。
【００６３】
リザーバ開口部２２４、２４４を介して一時保存された水が下側に流動し得る。
【００６４】
本実施形態においてリザーバ開口部２２４、２４４は、内側に向かって開口して形成される。本実施形態とは異なり、リザーバ開口部２２４、２４４は、下側に開口して形成されることもでき、この場合、リザーバ開口部２２４、２４４は、リザーバベース２２３、２４３に形成される。
【００６５】
上部リザーバ開口部２２４を介して排水された水は、ビジュアルボディ２１０の側面２１６に沿って下側に流動する。
【００６６】
下部リザーバ開口部２４４を介して排水された水は、ブリッジ３８０に沿って下側に流動する。
【００６７】
上部リザーバ２２０には、ハンドル１８０が設けられる。前記上部保存空間２２５に前記ハンドル１８０が設けられる。前記ハンドル１８０は、前記上部保存空間２２５にインサート設置されて隠匿されることができる。
【００６８】
前記上部リザーバ２２０にハンドルフィクサー１８２が固定され、前記ハンドルフィクサー１８２に前記ハンドル１８０が回転可能に結合される。これにより、ユーザが前記ハンドル１８０を持ち上げると、前記エアーウォッシュモジュール２００全体を持ち上げることができる。本実施形態とは異なり、前記ハンドルフィクサー１８２を設けず、前記ハンドル１８０だけをビジュアルボディ２１０に設けても構わない。
【００６９】
前記水槽３００は、前記下部リザーバ２４０と結合される。また、前記下部リザーバ２４０は、一時保存された水をブリッジ３８０を介して流動させる。
【００７０】
本実施形態において前記ブリッジ３８０は、様々な機能を果たす。前記ブリッジ３８０は、ビジュアルボディ２１０及び水槽３００を結合させる構造物である。前記ブリッジ３８０は、上側に流れ落ちた水を水槽３００内部に案内する落水防止流路を提供する。前記ブリッジ３８０は、エアーウォッシュ流入口３１を形成させる構造物である。
【００７１】
本実施形態において前記ブリッジ３８０は、水槽３００と一体に製作されるが、本実施形態とは異なり、ビジュアルボディ２１０と一体に製作されることができる。また、前記ブリッジ３８０は、水槽３００またはビジュアルボディ２１０と区分される別の部品で製作された後、水槽３００及びビジュアルボディ２１０に各々締め付けられることができる。
【００７２】
前記ブリッジ３８０は、加湿流路１０６が配置された内側に水を案内する。前記ブリッジ３８０は、内側にブリッジ空間３８５が形成される。前記ブリッジ３８０は、ブリッジ空間３８５を形成するガイドウォール３８６を備える。
【００７３】
前記ブリッジ空間３８５は、下部リザーバ開口部２４４と連通される。
【００７４】
本実施形態において前記ブリッジ空間３８５は、水槽３００内側に向かって開放されて形成され、前記ガイドウォール３８６は、ブリッジ３８０の両側に各々配置され、前記ブリッジ空間３８５を囲む。前記ガイドウォール３８６は前記ブリッジ３８０の側面縁で内側に向かって突出される。
【００７５】
前記水槽３００及びビジュアルボディ２１０の締付構造は、ブリッジ３８０及び下部リザーバ２４０に各々形成される。前記水槽３００及びビジュアルボディ２１０を締め付けるために、前記ブリッジ３８０にブリッジ締付部３８７が形成され、下部リザーバ２４０にビジュアル締付部２４７が形成される。
【００７６】
特に、前記下部リザーバ開口部２４４にビジュアル締付部２４７が配置され、ブリッジ空間３８５にブリッジ締付部３８７が配置される。前記ブリッジ締付部３８７及びビジュアル締付部２４７は、互いに嵌合された後、締め付けられる。本実施形態では、ブリッジ締付部３８７がビジュアル締付部２４７に挿入された後、ブリッジ３８０外側で締付がなされる。
【００７７】
そして、下部リザーバ２４０の水をブリッジ空間３８５に案内するために、前記下部リザーバ２４０は、前記ブリッジ空間３８５に挿入されるインサートウォール２４６をさらに備える。
【００７８】
前記インサートウォール２４６は、リザーバベース２４３またはリザーバウォール２４２のうち、少なくともいずれか１つと連結され、下側に突出される。
【００７９】
前記インサートウォール２４６は、下部インサート開口部２４４の両側に形成され、前記下部インサート開口部２４４を形成する。前記インサートウォール２４６間に前記ビジュアル締付部２４７が配置される。
【００８０】
前記インサートウォール２４６は、ブリッジ空間３８５に挿入され、ガイドウォール３８６内側に位置する。前記インサートウォール２４６等は、ガイドウォール３８６間に位置し、ブリッジ３８０に嵌入固定される。
【００８１】
そして、前記インサートウォール２４６及びビジュアル締付部２４７間には、窪んだチャネル２４９が形成される。前記チャネル２４９は、外側に窪んで形成される。前記チャネル２４９は、下部保存空間２４５の水をより容易にブリッジ３８０に案内するための構成である。
【００８２】
前記チャネル２４９は、ブリッジ３８０に向かって下側に長く延びて形成される。前記チャネル２４９を形成する溝は、リザーバベース２４３側に窪んで形成される。前記チャネル２４９は、リザーバウォール２４２より外側に突出されることができる。
【００８３】
前記リザーバウォール２４２に沿って流動した水は、前記チャネル２４９に沿ってブリッジ３８０に案内される。
【００８４】
一方、前記ビジュアルボディ２１０は、前記トップコネクタ２７０が据え置かれるコネクタ据え置き部２１２が形成される。前記コネクタ据え置き部２１２にトップコネクタ２７０の少なくとも一部が据え置かれる。前記コネクタ据え置き部２１２の上側にトップコネクタ２７０が位置し、下側にベースコネクタ２６０が位置する。
【００８５】
前記トップコネクタ２７０は、前記コネクタ据え置き部２１２に据え置かれるとき、水平移動が制限される。このために、前記ビジュアルボディ２１０は、前記トップコネクタ２７０の水平移動を制限するコネクタ係止部２１１が形成される。トップコネクタ２７０が据え置かれるとき、前記コネクタ係止部２１１は、トップコネクタ２７０の側部に密着される。
【００８６】
前記ビジュアルボディ２１０には、コネクタ開口部２１３が配置される。前記コネクタ開口部２１３は、ビジュアルボディ２１０を貫通するように形成される。前記コネクタ開口部２１３は、上下方向に開口して形成される。
【００８７】
前記コネクタ開口部２１３とコネクタ据え置き部２１２とは、互いに異なる位置に配置されることができる。本実施形態では、コネクタ据え置き部２１２にコネクタ開口部２１３が配置される。前記コネクタ据え置き部２１２の一部が開口して前記コネクタ開口部２１３を形成する。
【００８８】
前記ビジュアルボディ２１０を介して水の流動過程を説明すれば、次のとおりである。
【００８９】
まず、トップカバーアセンブリ２３０に上部給水が行われる場合、給水流路１０９を介して加湿流路１０６に水が落下する。上部給水の際、前記トップカバーアセンブリ２３０から溢れた水を上部リザーバ２２０に流動し得る。
【００９０】
前記上部リザーバ２２０に一時保存された水は、上部保存空間２２５に沿って流動した後、上部リザーバ開口部２２４を介してビジュアルボディ２１０の内側に流れ落ちる。ビジュアルボディ２１０の内側面２１６に沿って流れ落ちた水は、下部リザーバ２４０に一時保存される。
【００９１】
前記下部リザーバ２４０に保存された水は、下部保存空間２４５に沿って流動した後、下部リザーバ開口部２４４を介してブリッジ３８０に流動する。前記ブリッジ３８０に流動した水は、ブリッジ空間３８５に沿って下方に流動した後、水槽３００に保存される。
【００９２】
このように、前記上部リザーバ２２０、ビジュアルボディ２１０の側面２１６、下部リザーバ２４０、ブリッジ３８０は、水が流れ落ちることができる落水防止流路を提供する。前記落水防止流路は、水槽３００の水面に水が直接落下することを防止するための構造である。
【００９３】
前記落水防止流路を構成する前記上部リザーバ２２０、ビジュアルボディ２１０の側面２１６、下部リザーバ２４０、ブリッジ３８０は、水を連続的に案内する。
【００９４】
特に、エアーウォッシュ流入口３１の上側に位置する下部リザーバ２４０は、エアーウォッシュ流入口３１に水が落下することを防止し、これを介してエアーウォッシュ流入口３１に水が漏水されることを遮断する。
【００９５】
前記下部リザーバ２４０の水は、複数個のブリッジ３８０を介して分散された後、水槽３００に案内される。すなわち、いずれか一側に多量の水が流れ落ちても、前記下部保存空間２４５に沿って水が流動しつつ流量を緩衝でき、隣接したブリッジ３８０を介して流量を分散できる。
【００９６】
特に、下部リザーバ２４０に過度な量の水が供給されることを防止するために、後述する水槽加湿媒体ハウジング１３００のインナーアッパーフレーム１３１２が、流れ落ちた水を水槽加湿媒体ハウジング１３００の内側にガイドする。
【００９７】
前記水槽加湿媒体ハウジング１３００にも、前記落水防止流路が配置される。これは、後述する水槽加湿媒体ハウジング１３００の構造で説明する。
【００９８】
図１１は、図９に水槽加湿媒体ハウジングが据え置かれたエアーウォッシュモジュールの断面図であり、図１２は、図８に水槽加湿媒体ハウジングが据え置かれたエアーウォッシュモジュールの断面図であり、図１３は、図１１に示された水槽加湿媒体ハウジングの斜視図であり、図１４は、図１３の下側から見た斜視図であり、図１５は、図１３の正面図であり、図１６は、図１５のＡ−Ａに沿って切断された断面図であり、図１７は、図１６のＢが示された拡大図であり、図１８は、図１６のＣが示された拡大図であり、図１９は、図１３の一部分解斜視図であり、図２０は、図１９の下側から見た斜視図であり、図２１は、図１９の正面図であり、図２２は、図２１のＤ−Ｄに沿って切断された断面図である。
【００９９】
図面を参照して水槽加湿媒体ハウジングについてより詳細に説明する。
【０１００】
本実施形態では、加湿媒体５０のうち、水槽加湿媒体５１が設けられるハウジングを水槽加湿媒体ハウジング１３００と定義する。
【０１０１】
本実施形態では、前記水槽加湿媒体５１が水槽３００に保存された水と離間して配置される特徴がある。水槽加湿媒体５１が水と分離されるので、加湿媒体を使用しないときには乾燥状態を維持できる。
【０１０２】
前記水槽が満水位であるとき、前記水槽加湿媒体５１の下端は、前記水槽３００に保存された水面より高く位置する。
【０１０３】
また、前記水槽加湿媒体５１が設けられる水槽加湿媒体ハウジング１３００も水と離間して配置される。
【０１０４】
本実施形態において前記水槽加湿媒体ハウジング１３００は、水槽３００に配置される。特に、前記水槽加湿媒体ハウジング１３００は、エアーウォッシュ流入口３１内側に配置される。本実施形態において前記水槽加湿媒体ハウジング１３００は、ビジュアルボディ２１０に据え置かれ、前記水槽３００の内側に位置する。本実施形態とは異なり、前記水槽加湿媒体ハウジング１３００は、水槽３００に設けられることができる。
【０１０５】
前記水槽加湿媒体ハウジング１３００は、エアーウォッシュ流入口３１を介して吸入された空気を通過させる。前記水槽加湿媒体５１は、前記通過される空気に対して加湿を行う。
【０１０６】
前記エアーウォッシュ流入口３１を通過する空気は、前記水槽３００の外側から前記水槽３００の内側に流動する。
【０１０７】
前記水槽加湿媒体ハウジング１３００は、水槽加湿媒体５１が設けられて流動する空気に対して水分を供給するだけでなく、前記水槽３００の上側をカバーして前記水槽３００から水が溢れることを防止する。
【０１０８】
例えば、外部の衝撃が加えられる場合、水槽３００に保存された水が水槽３００外に溢れ出ることがある。例えば、エアーウォッシュモジュール２００を分離して移動させるとき、水槽３００の水が溢れることがある。例えば、ベースボディ１１０が傾くとき、水槽３００の水が外部に溢れることがある。
【０１０９】
これを防止するために、水槽加湿媒体ハウジング１３００は、水槽３００の上側縁に密着され、これを介して前記水槽３００の水が水槽３００外に溢れることを抑制できる。
【０１１０】
本実施形態において水槽加湿媒体ハウジング１３００の下端は、水槽３００の内側に位置する。前記水槽加湿媒体５１の下端も水槽３００の内側に位置する。
【０１１１】
また、前記水槽加湿媒体ハウジング１３００の下端は、前記水槽３００の上端とオーバーラップされることができる。前記水槽加湿媒体５１の下端も前記水槽３００の上端とオーバーラップされることができる。
【０１１２】
前記オーバーラップは、前記水槽３００の水がエアーウォッシュ流入口３１外に流出することを防止する。前記オーバーラップは、前記エアーウォッシュ流入口３１に流入する空気が必ず水槽加湿媒体５１を通過するようにする。
【０１１３】
本実施形態では、前記水槽加湿媒体５１の上端及び下端が共に水槽３００とオーバーラップされる。前記水槽加湿媒体ハウジング１３００の上端及び下端が共に水槽３００とオーバーラップされる。
【０１１４】
前記ビジュアルボディ２１０に水槽加湿媒体ハウジング１３００が据え置かれるとき、下端が水槽３００の上側縁に密着される。本実施形態とは異なり、前記水槽加湿媒体ハウジング１３００を水槽３００の上端に締付または結合させて溢水を完壁に遮断させることもできる。
【０１１５】
前記水槽加湿媒体ハウジング１３００の上端は、前記水槽３００の外側に位置し、下端は、水槽３００の内側に位置する。また、水槽加湿媒体５１の上端は、水槽３００の外側に位置し、下端は、水槽３００の内側に位置する。
【０１１６】
また、水槽加湿媒体ハウジング１３００の上端は、ビジュアルボディ２１０とオーバーラップされ、下端は、水槽３００とオーバーラップされる。
【０１１７】
正面から見るとき、前記水槽加湿媒体ハウジング１３００の外形は、傾斜して形成される。正面から見るとき、前記水槽加湿媒体５１は、傾斜して形成される。
【０１１８】
前記水槽加湿媒体ハウジング１３００は、水槽加湿媒体５１内側に位置し、前記水槽加湿媒体５１を支持し、空気が通過されるインナー媒体流入口１３１１が形成されたインナー媒体フレーム１３１０と、前記水槽加湿媒体５１外側に位置し、前記水槽加湿媒体５１を支持し、空気が通過されるアウター媒体流入口１３２１が形成されたアウター媒体フレーム１３２０と、前記インナー媒体フレーム１３１０またはアウター媒体フレーム１３２０のうち、少なくともいずれか１つと結合され、前記水槽３００に密着されて、前記水槽３００の溢水を防止する溢水防止カバー１３３０を備える。
【０１１９】
前記水槽加湿媒体５１は、インナー媒体フレーム１３１０及びアウター媒体フレーム１３２０間に配置される。前記水槽加湿媒体５１は、エアーウォッシュ流入口３１をカバーする。前記水槽加湿媒体５１は、リング形態で形成されることができる。本実施形態において前記水槽加湿媒体５１は、下側断面積が小さく、上側断面積が大きいホッパー形態で形成される。前記水槽加湿媒体５１は、上下方向に対して傾斜して配置される。前記水槽加湿媒体５１の傾斜は、空気流動方向を考慮したものである。
【０１２０】
連結流路１０３を介してエアーウォッシュ流入口３１に流動する空気は、水平移動よりは、上側方向に傾斜した流動を形成するようになる。傾斜して形成された水槽加湿媒体５１は、空気流動方向と直交するように配置されることができる。
【０１２１】
空気流動と水槽加湿媒体５１とが直交する場合、水槽加湿媒体５１の特定部分に空気が集まることを防止でき、全体面積で均等に空気が通過され得る。
【０１２２】
前記水槽加湿媒体５１を固定するために、前記アウター媒体フレーム１３２０またはインナー媒体フレーム１３１０のうち、少なくともいずれか１つには、前記水槽加湿媒体５１を固定させる加湿媒体固定手段が形成され得る。
【０１２３】
本実施形態において前記加湿媒体固定手段は、突起及び溝で構成される。
【０１２４】
前記加湿媒体固定手段は、前記インナー媒体フレーム１３１０またはアウター媒体フレーム１３２０のうち、いずれか１つに形成された固定突起１３０２と、前記インナー媒体フレーム１３１０またはアウター媒体フレーム１３２０のうち、他の１つに形成され、前記固定突起１３０２が挟まれる固定溝１３０４とを備える。
【０１２５】
本実施形態において前記固定突起１３０２は、アウター媒体フレーム１３２０に形成され、固定溝１３０４は、インナー媒体フレーム１３１０に形成される。本実施形態とは異なり、その位置の反対に配置されることができる。前記固定突起１３０２及び固定溝１３０４間に水槽加湿媒体５１が配置され、固定突起１３０２が固定溝１３０４に挟まれるとき、固定される。
【０１２６】
前記固定突起１３０２及び固定溝１３０４は、水槽加湿媒体５１がインナー媒体フレーム１３１０及びアウター媒体フレーム１３２０間で移動されることを防止する。
【０１２７】
本実施形態では、前記固定溝１３０４を形成するために、前記インナー媒体フレーム１３１０の一部が上側に突出される。
【０１２８】
前記固定溝１３０４は、下側に開放されて形成され、固定突起１３０２は、上側に突出されて形成される。
【０１２９】
前記固定突起１３０２及び固定溝１３０４の結合により前記インナー媒体フレーム１３１０及びアウター媒体フレーム１３２０に結合される効果もある。
【０１３０】
前記インナー媒体フレーム１３１０には、空気が通過されるインナー媒体流入口１３１１が形成される。前記アウター媒体フレーム１３２０には、空気が通過されるアウター媒体流入口１３２１が形成される。
【０１３１】
インナー媒体流入口１３１１及びアウター媒体流入口１３２１は、３６０度全方向に対して空気を吸入できるように形成される。インナー媒体流入口１３１１及びアウター媒体流入口１３２１は、互いに対向して配置されることができる。
【０１３２】
前記インナー媒体フレーム１３１０は、上側直径が大きく、下側直径が小さく形成される。前記アウター媒体フレーム１３２０も、上側直径が大きく、下側直径が小さく形成される。本実施形態において前記水槽加湿媒体ハウジング１３００は、全体的にホッパー形態で形成される。
【０１３３】
前記アウター媒体フレーム１３２０及びインナー媒体フレーム１３１０は、互いに対して抑止嵌入方式で結合される。前記アウター媒体フレーム１３２０及びインナー媒体フレーム１３１０が抑止嵌入されるとき、前記水槽加湿媒体５１が固定される。
【０１３４】
前記溢水防止カバー１３３０は、水槽３００の上側面のうちの一部をカバーして水槽３００の水が溢れることを防止する。また、溢水防止カバー１３３０は、上側から流れ落ちた水が水槽３００の水面に直接落下することを防止する機能を提供する。
【０１３５】
前記溢水防止カバー１３３０は、アウター媒体フレーム１３２０及びインナー媒体フレーム１３１０の下側に組み立てられる。前記溢水防止カバー１３３０は、アウター媒体フレーム１３２０またはインナー媒体フレーム１３１０のうち、少なくともいずれか１つと抑止嵌入される。
【０１３６】
組み立てられたアウター媒体フレーム１３２０及びインナー媒体フレーム１３１０を媒体フレームアセンブリと定義する。
【０１３７】
前記媒体フレームアセンブリの上端は、前記ビジュアルボディ２１０に据え置かれる。前記ビジュアルボディ２１０に沿って流れ落ちた水は、前記媒体フレームアセンブリに沿って流れ落ちることができる。
【０１３８】
前記溢水防止カバー１３３０は、媒体フレームアセンブリの下端に配置され、前記媒体フレームアセンブリを支える。前記溢水防止カバー１３３０は、流れ落ちた水を一時保存し、一時保存された水を水槽３００内側面に案内する。本実施形態において前記溢水防止カバー１３３０は、落水防止流路のうちの一部を提供する。
【０１３９】
前記溢水防止カバー１３３０は、流れ落ちた水を案内し、落水騷音を最小化させる。前記溢水防止カバー１３３０は、媒体フレームアセンブリの下端のうち、少なくとも一部を支えるように形成されることができる。本実施形態において前記溢水防止カバー１３３０は、媒体フレームアセンブリの下端全体を囲み、水が水槽３００水面に直接落下することを防止する。
【０１４０】
前記溢水防止カバー１３３０は、トップビューから見るとき、ドーナッツ形状で形成される。前記溢水防止カバー１３３０の上側面は、媒体フレームアセンブリから流れ落ちた水を集めて水槽３００の内側面に案内する。前記溢水防止カバー１３３０の下側面は、前記水槽３００の内側縁を防いで前記水槽３００外に溢れる水を遮断させる。
【０１４１】
前記インナー媒体フレーム１３１０は、前記ビジュアルボディ２１０に据え置かれるインナーアッパーフレーム１３１２と、前記インナーアッパーフレーム１３１２から下側に延び、前記インナー媒体流入口１３１１を形成させるインナーバーチカルフレーム１３１３と、前記インナーバーチカルフレーム１３１３と連結され、溢水防止カバー１３３０の上側面に定着するインナーロアフレーム１３１４とを備える。
【０１４２】
前記インナーアッパーフレーム１３１２及びインナーロアフレーム１３１４間に複数個のインナーバーチカルフレーム１３１３が配置される。前記インナーアッパーフレーム１３１２及びインナーロアフレーム１３１４、並びにインナーバーチカルフレーム１３１３間にインナー媒体流入口１３１１が形成される。
【０１４３】
前記インナーアッパーフレーム１３１２は、上側面が内側に向かうように形成される。前記インナーアッパーフレーム１３１２は、ビジュアルボディ２１０に沿って流れ落ちた水を内側に案内するガイドである。前記インナーアッパーフレーム１３１２は、曲面で形成される。前記インナーアッパーフレーム１３１２の外側は、ビジュアルボディ２１０の側面２１６に密着されることができる。
【０１４４】
前記インナーアッパーフレーム１３１２は、下部リザーバ２４０の上側に位置し、流れ落ちた水を内側に案内して、前記下部リザーバ２４０に向かう水を低減できる。
【０１４５】
本実施形態において前記インナーアッパーフレーム１３１２の上側面に形成されたガイドは、曲面で形成され、前記ビジュアルボディ２１０に沿って流れ落ちた水を前記水槽加湿媒体５１に案内する。
【０１４６】
前記インナーバーチカルフレーム１３１３には、ハンドル１３１５が形成される。前記ハンドル１３１５は、複数個が形成され得る。前記ハンドル１３１５は、インナーバーチカルフレーム１３１３から内側に向かって突出される。ユーザは、前記ハンドル１３１５を介して水槽加湿媒体ハウジング１３００全体を持ち上げることができる。
【０１４７】
前記インナーアッパーフレーム１３１２は、リング形態で形成され、内側が開口する。前記インナーロアフレーム１３１４は、リング形態で形成され、内側が開口する。
【０１４８】
前記インナーアッパーフレーム１３１２は、ビジュアルボディ２１０の下部ガイド溝２１７に据え置かれることができるように、前記アウター媒体フレーム１３２０より半径方向外側にさらに突出されて形成される。
【０１４９】
前記アウター媒体フレーム１３２０は、前記インナー媒体フレーム１３１０と類似した構造である。前記インナー媒体フレーム１３１０のように、前記アウター媒体フレーム１３２０は、アウター媒体流入口１３２１、アウターアッパーフレーム１３２２、アウターバーチカルフレーム１３２３、及びアウターロアフレーム１３２４を備える。
【０１５０】
前記アウターロアフレーム１３２４には、保存空間１３２８が形成される。前記保存空間１３２８には、流れ落ちた水が一時保存される。前記保存空間１３２８は、リング形状で形成される。前記アウターロアフレーム１３２４の内側に垂直壁が形成され、水が内側に溢れることを防止する。前記保存空間１３２８の水は、後述するアウター媒体ガイド１３２５に流動する。
【０１５１】
前記インナー媒体フレーム１３１０と異なり、前記アウター媒体フレーム１３２０は、アウターアッパーフレーム１３２２及びアウターロアフレーム１３２４を連結するアウター媒体ガイド１３２５をさらに備える。
【０１５２】
前記アウター媒体ガイド１３２５は、前記アウターアッパーフレーム１３２２及びアウターロアフレーム１３２４を支持する。前記アウター媒体ガイド１３２５は、内部に空いた空間が形成される。前記アウター媒体ガイド１３２５は、前記保存空間１３２８と連結される。
【０１５３】
前記アウター媒体ガイド１３２５は、水槽加湿媒体５１の水を溢れ防止ガイド１３３０に排水する。
【０１５４】
前記アウター媒体ガイド１３２５の下側端には、内部の水を前記溢れ防止ガイド１３３０に排水するアウター媒体ガイドホール１３２６が形成される。前記アウター媒体ガイドホール１３２６は、半径方向に段差を形成する。これにより、前記アウター媒体ガイドホール１３２６は、内側に引き込まれて形成される。前記溢れ防止ガイド１３３０は、前記アウター媒体ガイド１３２５と相互型合わせられる。
【０１５５】
前記アウター媒体ガイド１３２５の底面は、傾斜面１３２７で形成される。前記傾斜面１３２７は、内側が高く、外側が低く形成される。これにより、前記アウター媒体ガイド１３２５の水は、前記傾斜面１３２７に沿ってアウター媒体ガイドホール１３２６に案内される。前記傾斜面１３２７の終端に前記アウター媒体ガイドホール１３２６が配置される。
【０１５６】
本実施形態において前記アウター媒体ガイド１３２５は、３個が配置される。前記アウター媒体ガイド１３２５等は、各々が等間隔に配置され、放射状形態で配置される。
【０１５７】
前記保存空間１３２８の水は、自重によりアウター媒体ガイド１３２５に移動される。保存空間１３２８の水は、円周方向に流れた後、前記アウター媒体ガイド１３２５に移動され、前記アウター媒体ガイドホール１３２６を介して溢水防止カバー１３３０に排水される。
【０１５８】
前記保存空間１３２８、アウター媒体ガイド１３２５、アウター媒体ガイドホール１３２６、溢水防止カバー１３３０の構造を介して水槽加湿媒体ハウジング１３００から水槽３００の水面に水が直接落下することを防止できる。
【０１５９】
前記溢水防止カバー１３３０は、水槽３００の上部をカバーするカバー部１３３２と、前記カバー部１３３２と連結されて形成され、前記カバー部１３３２で折り曲げられて収容空間１３３８を形成させるバリア１３３４と、前記カバー部１３３２に形成され、前記アウター媒体ガイド１３２５が挿入されるカバー挿入溝１３３５と、前記カバー挿入溝１３３５に形成され、前記水槽３００内部と連通されて水を排水するカバーホール１３３６とを備える。
【０１６０】
前記カバー部１３３２は、媒体フレームアセンブリ下側に配置される。前記カバー部１３３２は、前記水槽３００の内部に配置されることができる。前記カバー部１３３２は、前記水槽３００の上部一部をカバーできる。本実施形態において前記カバー部１３３２は、前記水槽３００の内側面に沿って形成される。
【０１６１】
前記カバー挿入溝１３３５は、前記カバー部１３３２から下側に窪んで形成される。前記カバー挿入溝１３３５に前記アウター媒体ガイド１３２５が挿入される。前記カバー挿入溝１３３５は、垂直方向に窪んで形成され、前記アウター媒体ガイド１３２５は、垂直方向に挿入される。
【０１６２】
前記カバー挿入溝１３３５に挿入されたアウター媒体ガイド１３２５は、横方向への移動が制限される。前記カバー挿入溝１３３５は、アウター媒体ガイドホール１３２６と所定間隔離間する。
【０１６３】
前記カバー挿入溝１３３５にカバーホール１３３６が形成される。前記カバーホール１３３６は、半径方向に貫通されて形成される。前記カバーホール１３３６は、前記水槽３００内部と連通される。前記カバーホール１３３６は、前記水槽３００内側面に向かって形成される。前記カバーホール１３３６に排水された水は、前記水槽３００内側面に沿って移動される。
【０１６４】
前記カバー挿入溝１３３５の底面は、傾斜面１３３７で形成される。前記傾斜面１３３７は、アウター媒体ガイド１３２５の傾斜面１３２７と対応する。
【０１６５】
前記カバー挿入溝１３３５のうち、少なくとも１つには、嵌入溝１３３５ａが形成され、前記アウター媒体ガイド１３２５には、前記嵌入溝１３３５ａに対応する嵌入部１３２５ａが形成され得る。
【０１６６】
前記嵌入部１３２５ａは、下側に突出されて形成され、前記嵌入溝１３３５ａに上下方向に挿入される。前記嵌入部１３２５ａ及び嵌入溝１３３５ａは、アウター媒体フレーム１３２０及び溢水防止カバー１３３０の結合位置を確認できる位置決定手段として使用されることができる。前記嵌入部１３２５ａ及び嵌入溝１３３５ａが一致しない場合、アウター媒体フレーム１３２０及び溢水防止カバー１３３０が組み立てられない。
【０１６７】
前記カバー部１３０２は、水槽３００の内側面に密着されることができる。前記カバー部１３０２は、前記水槽３００の上端縁に密着されることができる。前記カバー部１３０２は、前記水槽３００の上端にオーバーラップされることができる。本実施形態において前記カバー部１３０２は、水槽３００の内側面に密着され、前記水槽３００の上端縁に密着される。
【０１６８】
前記傾斜面１３３７は、内側が高く、外側が低く形成される。前記傾斜面１３３７の終端に前記カバーホール１３３６が配置される。前記カバーホール１３３６に吐出された水は、水槽３００の内側面と接触される。前記傾斜面１３２７、１３３７を介して水を水槽３００内側面に案内することができる。
【０１６９】
前記カバー部１３３２は、傾斜して形成される。前記カバー部１３３２は、外側が高く、内側が低く形成される。前記カバー部１３３２の傾斜は、上側の水がカバー部１３３２外側に流動することを抑制する。前記カバー部１３３２上側面の水は、傾斜に沿って内側に流動する。
【０１７０】
前記カバー部１３３２の上側に沿って流動する水は、前記保存空間１３２８に案内される。これにより、前記カバー部１３３２の上側面に沿って流れ落ちる水は、前記保存空間１３２８、アウター媒体ガイドホール１３２６、カバーホール１３３６を経て水槽３００内側面に案内される。このような構造を介して、流れ落ちる水が前記水槽３００の水面に直接落下することを防止できる。
【０１７１】
前記バリア１３３４は、前記カバー部１３３２とともに収容空間１３３８を形成する。前記収容空間１３３８は、前記カバー部１３３２の下側に形成される。前記収容空間１３３８は、前記水槽３００の水が激しく揺れるとき、前記水槽３００の内側壁に沿って揺れる水を収容し、前記水槽３００の下側に案内する。
【０１７２】
前記バリア１３３４は、インナーバリア１３３１及びアウターバリア１３３３を備える。
【０１７３】
前記インナーバリア１３３１及びアウターバリア１３３３は、前記カバー部１３３２から下側に折り曲げられて形成される。前記インナーバリア１３３１は、前記カバー部１３３２の内側縁に沿って形成され、下側に折り曲げられて形成される。前記アウターバリア１３３３は、前記カバー部１３３２の外側縁に沿って形成され、下側に折り曲げられて形成される。
【０１７４】
前記アウターバリア１３３３は、前記水槽３００の内側面に密着される。
【０１７５】
前記インナーバリア１３３１は、アウター媒体フレーム１３２０に密着される。より詳細には、前記インナーバリア１３３１は、前記アウターロアフレーム１３２４に密着される。
【０１７６】
前記インナーバリア１３３１及びアウターロアフレーム１３２４は、相互結合される。前記インナーバリア１３３１またはアウターロアフレーム１３２４のうち、いずれか１つに係止突起１３３９が形成され、他の１つに係止溝１３２９が形成される。本実施形態では、インナーバリア１３３１に係止突起１３３９が形成され、アウターロアフレーム１３２４に係止溝１３２９が形成される。
【０１７７】
本実施形態では、前記溢水防止カバー１３３０が水槽３００の内側に位置し、前記アウターバリア１３３３が水槽３００の内側面に密着される。
【０１７８】
これにより、前記水槽３００に保存された水が激しく揺れる場合、前記水槽３００の内側壁に沿って上昇された後、前記アウターバリア１３３３、カバー部１３３２、及びインナーバリア１３３１に沿って流動する。すなわち、前記水槽３００内側壁に沿って上昇された水は、前記収容空間１３３８で方向が下側に切り換えられた後、再度水槽３００の中心に案内される。
【０１７９】
このように、前記溢水防止カバー１３３０は、前記水槽３００の水が水槽３００外に溢れることを防止できる。
【０１８０】
また、水槽加湿媒体ハウジング１３００は、インナーアッパーフレーム１３１２、保存空間１３２８、アウター媒体ガイドホール１３２６、カバー部１３３２、カバーホール１３３６の構成を介してビジュアルボディ２１０から流れ落ちた水が水槽３００の水面に直接落下することを防止する落水防止流路を提供する。
【０１８１】
図２３は、本発明の第１の実施形態に係るウォータリングユニットが示された分解斜視図であり、図２４は、図２３に示されたウォータリングユニットの結合斜視図であり、図２５は、図２４の断面図である。
【０１８２】
前記ウォータリングハウジング８００は、水槽３００に保存された水を噴射するための構成である。前記ウォータリングハウジング８００は、水槽３００に保存された水を効率的に揚水するための構造が配置される。
【０１８３】
前記ウォータリングハウジング８００は、ウォータリングモータ４２の回転力が伝達されて回転され、回転の際、水槽３００に保存された水を内部に吸入した後、上側に揚水することができる。前記ウォータリングハウジング８００内部に揚水された水は、噴射口４１０を介して吐出される。
【０１８４】
前記ウォータリングハウジング８００には、揚水手段が配置される。前記揚水手段は、前記水槽３００の水を上側に揚水（ｐｕｍｐｉｎｇ）する。水槽の水を揚水する方法は、様々に実現されることができる。
【０１８５】
例えば、前記揚水ポンプを介して水を揚水した後、噴射させることができる。
【０１８６】
例えば、ウォータリングハウジングを回転させ、回転の際、水と摩擦または相互干渉を形成させて水を揚水できる。
【０１８７】
本実施形態では、ウォータリングハウジング８００の回転によって水を揚水する構造が提案される。本実施形態において揚水手段は、水との摩擦または相互干渉を介して水を上側に押し上げる揚水グルーブ８１０である。
【０１８８】
前記ウォータリングハウジング８００の内側面に揚水手段である揚水グルーブ８１０が形成される。前記揚水グルーブ８１０は、揚水効率を向上させる。前記揚水グルーブ８１０は、前記ウォータリングハウジング８００内側面から突出されて形成される。前記揚水グルーブ８１０は、上下方向に長く延びて形成される。前記揚水グルーブ８１０は、ウォータリングモータ軸４３または動力伝達軸６４０に対して放射状に配置される。
【０１８９】
前記ウォータリングハウジング８００の下端は、水槽３００の底面と所定間隔離間して吸入間隔８０１を形成する。前記吸入間隔８０１を介して水槽３００の水がウォータリングハウジング８００内部に吸入される。
【０１９０】
前記ウォータリングハウジング８００は、下側が開放されるように形成される。前記ウォータリングハウジング８００は、カップ形状である。前記ウォータリングハウジング８００は、カップを逆に置いた形状である。前記ウォータリングハウジング８００内部には、ハウジング空間８０５が形成される。
【０１９１】
前記ウォータリングハウジング８００内部に水槽３００のコラム３５が位置し、前記コラム３５内部に動力伝達モジュール６００が配置される。前記ウォータリングハウジング８００は、コラム３５を囲むように配置される。
【０１９２】
前記ウォータリングハウジング８００は、上側へ行くほど、平断面が拡張されるように形成される。前記コラム３５は、上側へ行くほど、平断面が縮小されるように形成される。前記ウォータリングハウジング８００及びコラム３５の形状は、水を効果的に揚水するための形状である。前記ハウジング空間８０５の容積は、上側へ行くほど増加される。
【０１９３】
前記ウォータリングハウジング８００が回転されるとき、内部に吸入された水は、遠心力によりウォータリングハウジング８００内周面に密着される。前記ウォータリングハウジング８００内周面に形成された揚水グルーブ８１０は、内部に吸入された水に回転力を提供する。
【０１９４】
前記ウォータリングハウジング８００には、吸入された水を外部に吐出する噴射口４１０が形成される。本実施形態において前記噴射口４１０は、水平方向に水を吐出させるように配置される。前記噴射口４１０を介して揚水された水が外部に吐出される。
【０１９５】
本実施形態において前記噴射口４１０から吐出された水は、ビジュアルボディ２１０に噴射されることができる。
【０１９６】
前記噴射口４１０は、設計条件によってその個数が調整され得る。本実施形態において前記噴射口４１０は、高さの差をおいてウォータリングハウジング８００に複数個が配置される。前記ウォータリングハウジング８００の上側に配置された噴射口を第２の噴射口と定義し、ウォータリングハウジングの中間に配置された噴射口を第１の噴射口と定義する。
【０１９７】
前記ウォータリングハウジング８００が第１の回転速度以上に回転されるとき、前記第１の噴射口から水が噴射され得る。前記ウォータリングハウジング８００が第２の回転速度以上に回転されるとき、前記第２の噴射口から水が噴射され得る。
【０１９８】
前記第２の回転速度は、前記第１の回転速度に比べて高速である。
【０１９９】
前記ウォータリングハウジング８００が高速で回転されるときにのみ、前記第２の噴射口から水が吐出される。前記ウォータリングハウジング８００が通常的に回転される速度には、前記第２の噴射口を介して水が吐出されないように配置することができる。前記第１の噴射口は、ウォータリングハウジングが常に作動される全ての段階で水を吐出する。
【０２００】
前記第２の噴射口は、複数個が配置され得る。前記第１の噴射口は、複数個が配置され得る。
【０２０１】
ウォータリングハウジング８００が通常回転速度で回転されれば、揚水された水は、少なくとも第１の噴射口より高く上昇される。前記ウォータリングハウジング８００が高速で回転されれば、揚水された水は、第２の噴射口の高さ以上に上昇される。
【０２０２】
前記第２の噴射口は、ウォータリングハウジング８００の円周方向に複数個が配置され得る。前記第１の噴射口もウォータリングハウジング８００の円周方向に複数個が配置され得る。
【０２０３】
前記ウォータリングハウジング８００が回転されなければ、噴射口４１０を介して水が吐出されない。ユーザが清浄モード（エアークリーンモジュールは作動され、エアーウォッシュモジュールは停止されるモード）にのみ作動させれば、ウォータリングユニット４０が作動されず、送風ユニット２０だけが作動される。ユーザが加湿モードのみで作動させるとき、前記ウォータリングハウジング８００が回転され、前記噴射口４１０を介して水が吐出される。ユーザが清浄モード及び加湿モードを同時作動させるとき、前記噴射口４１０から吐出される水は、ビジュアルボディ２１０の内側面に噴射されることができる。
【０２０４】
ウォータリングハウジング８００が回転されるので、前記噴射口４１０から吐出された水は、前記ビジュアルボディ２１０の内側面を打撃し、前記ビジュアルボディ２１０の内側面に沿って移動される。
【０２０５】
ユーザは、ビジュアルボディ２１０を介して水が噴射されることを視覚的に確認することができる。このような水の噴射は、加湿モードで作動中であることを意味する。ユーザは、水の噴射を介して加湿モードが作動中であることを直観的に確認することができる。
【０２０６】
前記ビジュアルボディ２１０には、噴射された水により液滴が結ばれ、前記液滴は、下方へ流れ落ちるようになる。
【０２０７】
本実施形態において前記ウォータリングハウジング８００は、３個のパートで構成される。本実施形態とは異なり、前記ウォータリングハウジング８００は、１個または２個の部品で製作されることができる。
【０２０８】
前記ウォータリングハウジング８００の下端は、水槽３００の底面から所定間隔離間して配置される。
【０２０９】
前記ウォータリングハウジング８００は、第１のウォータリングハウジング８２０、第２のウォータリングハウジング８４０、ウォータリングハウジングカバー８６０、及びウォータリング動力伝達部８８０を備える。
【０２１０】
前記ウォータリングハウジング８００は、動力伝達軸６４０と組み立てられ、前記動力伝達軸６４０から回転力が伝達される構造が配置される。本実施形態において前記ウォータリングハウジング８００は、ウォータリング動力伝達部８８０及びウォータリングハウジングカバー８６０が動力伝達軸６４０と組み立てられる。前記ウォータリングハウジング８００は、動力伝達軸６４０と２ヶ所で結合され、２ヶ所から回転力が伝達される。
【０２１１】
前記第１のウォータリングハウジング８２０には、第１の噴射口４１１が配置される。本実施形態において前記第１の噴射口４１１は、２個が配置される。２個の第１の噴射口４１１は、互いに反対方向に向かうように形成される。
【０２１２】
前記第１の噴射口４１１は、第１のウォータリングハウジング８２０の内外側を連通させる。本実施形態では、前記第１の噴射口４１１の内側開口面積が外側開口面積より広く形成される。
【０２１３】
前記第２のウォータリングハウジング８４０の外周面には、ウォータリング羽根８５０が形成される。前記ウォータリング羽根８５０は、加湿空気を流動させることができる。前記ウォータリングハウジング８００の回転の際、前記ウォータリング羽根８５０は、周りの空気を引き込むことができる。
【０２１４】
前記第２のウォータリングハウジング８４０は、第２の噴射口４１２、４１３が形成される。前記第２の噴射口４１２、４１３は、ビジュアルボディ２１０に向かって水を噴射する。本実施形態において前記第２の噴射口４１２、４１３は、２個が配置される。前記第２の噴射口のうちの１つを第２−１の噴射口４１２といい、残りの１つを第２−２の噴射口４１３と定義する。
【０２１５】
前記第２−１の噴射口４１２及び第２−２の噴射口４１３は、互いに反対方向に向かうように配置される。前記第２−１の噴射口４１２及び第２−２の噴射口４１３は、動力伝達軸６４０を基準に対称して配置されることができる。
【０２１６】
前記第２−１の噴射口４１２が形成する噴射ラインを第１の噴射ラインと定義し、前記第２−２の噴射口４１３が形成される噴射ラインを第２の噴射ラインと定義する。
【０２１７】
前記噴射口４１０に噴射された水は、ビジュアルボディ２１０に配置されたリザーバに一時保存された後、ブリッジ３８０を介して水槽３００内部に案内される。
【０２１８】
図２６は、本発明の第２の実施形態に係る水槽加湿媒体の設置状態が示された断面図である。
【０２１９】
本実施形態では、第１の実施形態とは異なり、水槽加湿媒体ハウジング無しで水槽加湿媒体５１´が設けられる。
【０２２０】
前記水槽加湿媒体５１´は、上端が下部リザーバ２４０に据え置かれ、エアーウォッシュ流入口３１の内側をカバーする。前記水槽加湿媒体５１´は、３６０度全方向に形成される。
【０２２１】
前記水槽加湿媒体５１´は、垂直方向に設けられる。本実施形態とは異なり、前記水槽加湿媒体５１´は、傾斜して設けられることができる。例えば、上端が水槽３００外側に位置し、下端が水槽３００内側に位置して傾斜を形成できる。
【０２２２】
前記水槽加湿媒体５１´の上端は、ビジュアルボディ２１０とオーバーラップされ、下端は、水槽３００とオーバーラップされる。これにより、前記エアーウォッシュ流入口３１を介して入る空気は、水槽加湿媒体５１´を通過して水槽３００内部に流動する。
【０２２３】
前記水槽加湿媒体５１´の上端は、下部リザーバウォール２４２に係止され得るように、フック形態で形成される。
【０２２４】
前記水槽加湿媒体５１´を水槽３００に固定させるために、ベルクロテープのように脱着手段がさらに設けられ得る。
【０２２５】
前記水槽加湿媒体５１´の上端は、下部保存空間２４５に挿入されるので、下部リザーバ２４０に保存された水により濡らされることができる。
【０２２６】
前記水槽加湿媒体５１´の下端は、水槽３００内側に位置するので、濡らされて残った水が水槽３００に案内され得る。
【０２２７】
以下、残りの構成は、前記第１の実施形態と同様なので、詳細な説明を省略する。
【０２２８】
図２７は、本発明の第３の実施形態に係る水槽加湿媒体の設置状態が示された断面図である。
【０２２９】
本実施形態は、第１の実施形態とは異なり、各エアーウォッシュ流入口３１毎に個別的に水槽加湿媒体（５１″）が配置される。
【０２３０】
本実施形態では、エアーウォッシュ流入口３１が３個配置されるところ、３個の水槽加湿媒体５１″が設けられる。
【０２３１】
それぞれの水槽加湿媒体５１″は、それぞれの水槽加湿媒体ハウジング１３００″に設けられることができる。前記水槽加湿媒体ハウジング１３００″は、エアーウォッシュ流入口３１の形状で形成されることができる。
【０２３２】
これにより、水槽加湿媒体５１″が設けられた水槽加湿媒体ハウジング１３００″がエアーウォッシュ流入口３１に挟まれることができる。前記水槽加湿媒体ハウジング１３００″は、エアーウォッシュ流入口３１から個別的に脱着されることができる。
【０２３３】
本実施形態において前記水槽加湿媒体５１″は、エアーウォッシュ流入口３１と同一面に位置する。
【０２３４】
以下、残りの構成は、前記第１の実施形態と同様なので、詳細な説明を省略する。
【０２３５】
以上では、本発明の好ましい実施形態について図示し説明したが、本発明は、上述した特定の実施形態に限定されず、特許請求の範囲で請求する本発明の要旨を逸脱せず、当該発明の属する技術分野における通常の知識を有する者により様々な変形実施が可能であることはもちろんであり、このような変形実施等は、本発明の技術的思想や展望から個別的に理解されてはならないであろう。
【図１】
2018536136.tif 000003
【図２】
2018536136.tif 000004
【図３】
2018536136.tif 000005
【図４】
2018536136.tif 000006
【図５】
2018536136.tif 000007
【図６】
2018536136.tif 000008
【図７】
2018536136.tif 000009
【図８】
2018536136.tif 000010
【図９】
2018536136.tif 000011
【図１０】
2018536136.tif 000012
【図１１】
2018536136.tif 000013
【図１２】
2018536136.tif 000014
【図１３】
2018536136.tif 000015
【図１４】
2018536136.tif 000016
【図１５】
2018536136.tif 000017
【図１６】
2018536136.tif 000018
【図１７】
2018536136.tif 000019
【図１８】
2018536136.tif 000020
【図１９】
2018536136.tif 000021
【図２０】
2018536136.tif 000022
【図２１】
2018536136.tif 000023
【図２２】
2018536136.tif 000024
【図２３】
2018536136.tif 000025
【図２４】
2018536136.tif 000026
【図２５】
2018536136.tif 000027
【図２６】
2018536136.tif 000028
【図２７】
2018536136.tif 000029
【国際調査報告】
2018536136.tif 000030
2018536136.tif 000031
2018536136.tif 000032
2018536136.tif 000033